(57)【要約】  無線システムは、複数の異なるアクセスネットワークに対するインタフェースを備えた端末19,20と、複数の異なるアクセスネットワーク3、5、9、13を備えている。各アクセスネットワークはフロー制御を行うアクセスゲートウェイ(AGW)を備えており、該AGWはパケット送信停止信号を受信すると所定のメッセージ送信契機判定を行う。AGWは、メッセージ送信契機に端末に対して異なるアクセスネットワークへのハンドオーバを要求するメッセージを送信する制御部を有する。また端末は、該メッセージ受信を契機に異なるアクセスネットワークへのハンドオーバを行う手段を有する。
2007074511.tif 000002
【特許請求の範囲】
【請求項１】
アクセスネットワークのフロー制御を行うアクセスゲートウェイであって、
該アクセスネットワークからパケット送信停止信号を受信する手段と、
該パケット送信停止信号を受信すると所定のメッセージ送信契機判定を行い、メッセージ送信契機と判定されたとき、該アクセスネットワークに収容する端末に対して該アクセスゲートウェイが属する第１のアクセスネットワークとは異種の第２のアクセスネットワークへのハンドオーバを要求するメッセージを送信する制御部とを有する、アクセスゲートウェイ。
【請求項２】
請求項１において、
前記収容する端末のインタフェースのアドレス情報を含むメッセージを受信する手段と、
前記アドレス情報を記憶する記憶部とを備え、
前記制御部は、前記アドレス情報を管理し該アドレス情報から宛先を選択して前記メッセージを送信する、アクセスゲートウェイ。
【請求項３】
請求項１において、前記収容する端末に対する送信情報を蓄積する記憶部を備え、
前記所定のメッセージ送信契機判定において、前記記憶部に蓄積された前記送信情報量が閾値を超えたときに前記メッセージ送信契機と判定する、アクセスゲートウェイ。
【請求項４】
請求項１において、前記収容する端末に提供すべき通信品質を記憶する記憶部を備え、
前記制御部は、前記端末に提供された通信品質を計測し前記記憶部の前記通信品質と比較する機能を備え
該所定のメッセージ送信契機判定において計測された該通信品質が前記記憶部に蓄積された前記通信品質に比較して劣化したときに前記メッセージ送信契機と判定する、アクセスゲートウェイ。
【請求項５】
請求項４において、前記制御部は該通信品質としてパケット廃棄率または遅延の少なくとも何れかを計測および比較する、アクセスゲートウェイ。
【請求項６】
請求項１において、該所定のメッセージ送信契機判定において、ランダムに前記メッセージ送信契機と判定する、アクセスゲートウェイ。
【請求項７】
請求項１において、前記収容する端末に提供している通信品質を記憶する記憶部を備え、
該所定のメッセージ送信契機判定において該通信品質が一定範囲の場合に前記メッセージ送信契機と判定する、アクセスゲートウェイ。
【請求項８】
請求項７において、該通信品質はトラヒッククラスまたはプライオリティまたは遅延またはパケット廃棄率の少なくとも何れかである、アクセスゲートウェイ。
【請求項９】
複数の異なるアクセスネットワークに対するインタフェースと、
接続する第１のアクセスネットワークに属するアクセスゲートウェイに、該第１のアクセスネットワークとは異なる第２のアクセスネットワークに対する該端末のインタフェースのアドレス情報を含むメッセージを送信する手段を備えた、端末。
【請求項１０】
請求項９において、該端末の前記アクセスネットワークへの接続状況の変化に応じて、該端末が接続している全てのアクセスシステムのアクセスゲートウェイに記憶された前記アドレス情報を更新する機能を有する制御部を備えた、端末。
【請求項１１】
請求項９において、該端末が新規に接続したアクセスネットワークのアクセスゲートウェイに対して、前記アドレス情報を追加するためのメッセージを含むパケットを送信する機能を有する制御部を備えた、端末。
【請求項１２】
請求項１０において、ハンドオーバを要求するメッセージの受信手段と、前記メッセージ受信契機に前記異なる第２のアクセスネットワークへのハンドオーバを行う手段を有する、端末。
【請求項１３】
複数の異なるアクセスネットワークに対するインタフェースを備えた端末と複数の異なるアクセスネットワークとを備え、前記各アクセスネットワークはフロー制御を行うアクセスゲートウェイを有する、無線システムにおけるフロー制御方法であって、
前記アクセスゲートウェイは、パケット送信停止信号を受信したとき所定のメッセージ送信契機判定を行い、
メッセージ送信契機と判定されたとき前記端末に対して異なるアクセスネットワークへのハンドオーバを要求するメッセージを送信する、
無線システムにおけるフロー制御方法。
【請求項１４】
請求項１３において、
前記ハンドオーバを要求するメッセージを、該アクセスゲートウェイの属するアクセスネットワークと該アクセスゲートウェイの属するアクセスネットワークに対する前記端末のインタフェースを経由して、前記端末に送信する、
無線システムにおけるフロー制御方法。
【請求項１５】
請求項１４において、該アクセスゲートウェイおよび該アクセスゲートウェイの属するアクセスネットワークは、前記ハンドオーバを要求するメッセージをユーザデータより高い優先度で送信する、
無線システムにおけるフロー制御方法。
【請求項１６】
請求項１３において、
前記ハンドオーバを要求するメッセージを、該アクセスゲートウェイの属さない第２のアクセスネットワークと、該第２のアクセスネットワークに対する前記端末のインタフェースを経由して該端末に送信する、
無線システムにおけるフロー制御方法。
【請求項１７】
請求項１３において、前記所定のメッセージ送信契機判定において、前記端末に対する送信情報量が閾値を超えたときに前記メッセージ送信契機と判定する、
無線システムにおけるフロー制御方法。
【請求項１８】
請求項１３において、前記端末に提供された通信品質を計測し、
該計測された通信品質と、予め記憶部に保持された前記端末に提供すべき通信品質とを比較し、
所定のメッセージ送信契機判定において計測された該通信品質が前記記憶部の前記通信品質に比較して劣化したときに前記メッセージ送信契機と判定する、
無線システムにおけるフロー制御方法。
【請求項１９】
請求項１３において、前記アクセスネットワークが保証した通信品質の情報を管理し、
前記通信品質のパラメータがハンドオーバの対象範囲か否かを検査し、
対象範囲である場合に前記通信品質の比較を行なう、
無線システムにおけるフロー制御方法。
【発明の詳細な説明】
【技術分野】
【０００１】
本発明は、フロー制御を行うアクセスシステムと、アクセスシステム間ハンドオーバを行う無線システムおよびフロー制御方法に関する。
【背景技術】
【０００２】
この種の無線システムに関し、3GPP2(3rd Generation Partnership Project 2)で標準化が行われている非特許文献１の第8章では、アクセスゲートウェイであるPDSN(Packet Data Service Node)と1xEv-DO(1x Evolution Data Only) RAN(Radio Access Network)間のフロー制御方法が開示されている。【０００３】
また、3GPP2(3rd Generation Partnership Project 2)で標準化が行われている非特許文献２では、無線システムにおけるQoS(Quality of Service)の設定方法が開示されている。本書Annex.Eでは、シグナリングに用いるQoSパラメータのフォーマットが開示されている。また本書Annex.Fでは、無線移動局（MS: Mobile Station）がネットワークにQoSを要求してRANが許可するコールフローが開示されている。【０００４】
さらに、3GPP2(3rd Generation Partnership Project 2)で標準化が行われている非特許文献３では、無線LANと1xEv-DOシステム間のインターワークの規格が開示されている。【０００５】
【非特許文献１】X.P0011-D, Chapter 3 (2005年7月)
【非特許文献２】X.P0011-D, Chapter 4 (2005年7月)
【非特許文献３】X.P0028-200 v0.1, X31-20050926-005 (2005年9月)
【発明の開示】
【発明が解決しようとする課題】
【０００６】
図1に、本発明の前提となる無線システムの一例を示す。Core Network １は、IP(Internet Protocol)のコアネットワークである。Wire-line Access Network 3は有線アクセスネットワーク、1xEv-DO RAN 5は1xEv-DOの無線アクセスネットワーク、WLAN RAN 9は無線LAN（WLAN: Wireless LAN）の無線アクセスネットワーク、WiMAX RAN 13はWiMAX(Worldwide Interoperability for Microwave Access)の無線アクセスネットワークである。【０００７】
アクセスゲートウェイ（AGW: Access Gate Way）8はアクセスネットワークとコアネットワークの境界に設置されるゲートウェイである。AGW 2はWire-line Access Network 3とCore Network 1の間のアクセスゲートウェイである。AGW 4は1xEv-DO RAN 5とCore Network 1の間のアクセスゲートウェイであり、これをPDSNとも呼ぶ。AGW 8はWLAN RAN9とCore Network 1の間のアクセスゲートウェイであり、これをPDIF（Packet Data Inter-working Function）とも呼ぶ。AGW 12はWiMAX RAN 13とCore Network1の間のアクセスゲートウェイである。【０００８】
AP 7は1xEv-DOの基地局（AP: Access Point）である。AP 11は無線LANの基地局である。AP 15はWiMAXの基地局である。H/R 18はWire-line Network 3においてHAT 19を収容するハブ(HUB)またはルーター(Router)である。PCF 6はAP 7とAGW 4との間でパケットを転送するパケット制御装置（PCF: Packet Control Function）である。H/R 10はWLAN RAN 9においてAP 11を収容するハブ(HUB)またはルーター(Router)である。H/R 14はWiMAX RAN 13においてAP 15を収容するハブ(HUB)またはルーター(Router)である。【０００９】
HAT 19, HAT 20は、ハイブリッドアクセス端末（HAT: Hybrid Access Terminal）であり、異なる複数のアクセスシステムに接続するインタフェースを備える。CN 16はHAT 19, HAT 20の通信相手となるノード（CN: Correspondence Node）である。HA 17はMobile IPのホームエージェント（HA: Home Agent）である。【００１０】
従来技術では、アクセスネットワーク内でのパケット廃棄を防ぐためにフロー制御が行われる。図40に非特許文献１等に開示されているフロー制御の例を示す。Network 22とAGW 21間で、フロー制御が行なわれる。ここでNetwork 22はWire-line Access Network 3、1xEv-DO RAN 5、WLAN RAN 9、WiMAX RAN 13のいずれかであり、AGW 21はそれぞれAGW 2、AGW 4、AGW 8、AGW 12の何れかである。例えば輻輳等によりHAT 19へのパケット伝送が滞りNetwork 22内の装置に滞留するパケットの情報量が一定値を超えると、Network 22はパケット送信停止信号23をAGW 21に送信する。AGW 21はNetwork 22へのパケット送信を停止し、Core Network 1から入力するIPパケット25を蓄積もしくは廃棄する。【００１１】
HAT 19へのパケット伝送速度が回復し、Network 22内の装置に滞留するパケットの情報量が一定値以下となるとNetwork 22はパケット送信開始信号24をAGW 21に送信する。AGW 21はNetwork 22へのパケット送信を再開する。（本明細書では記号としてパケット送信停止信号をXoff、パケット送信開始信号をXonで表す）。【００１２】
従来例では、AGW 21にてパケットが廃棄されてしまう。AGW 21がIPパケット25を蓄積する場合でも、AGW 21がXoffを受信してから伝送速度が回復しない等のためXonを受信しないとバッファのオーバーフローが起きてパケット廃棄が起こる。【００１３】
管理運営が統一されない基幹網やインターネットを介してHATからCNまでの全経路でフロー制御を行うことは、現実的ではないと考えられる。【００１４】
コアネットワークへのインパクトを極力少なくして上記AGWで廃棄されるパケットを低減することが、本発明の課題の１つである。【００１５】
一方で、各AGWにおいて受信されるフロー制御信号は、各アクセスネットワークの負荷の指標と捉えられる。【００１６】
各アクセスネットワークの負荷に応じた新しいアクセスシステム間のハンドオーバ方法を提供することが、本発明の別の課題である。
【課題を解決するための手段】
【００１７】
本願において開示される発明のうち幾つかの概要を簡単に説明すれば、下記の通りである。【００１８】
本発明の無線システムは、複数の異なるアクセスネットワークに対するインタフェースを備えた端末と複数の異なるアクセスネットワークを備えている。アクセスネットワークはフロー制御を行うAGWを備えており、該AGWはパケット送信停止信号を受信すると所定のメッセージ送信契機判定を行う。AGWは、メッセージ送信契機に端末に対して異なるアクセスネットワークへのハンドオーバを要求するメッセージを送信する制御部を有する。また端末は、該メッセージ受信を契機に異なるアクセスネットワークへのハンドオーバを行う手段を有する。【００１９】
また本発明のAGWは、前記ハンドオーバを要求するメッセージを該AGWの属するアクセスネットワークと、該AGWの属するアクセスネットワークに対する前記端末のインタフェースを経由して該端末に送信する手段を有する。このとき該AGWおよび該AGWの属するアクセスネットワークは、前記メッセージをユーザデータより高い優先度で送信する。【００２０】
また本発明のAGWは、前記ハンドオーバを要求するメッセージを、該AGWの属さないアクセスネットワークと、該アクセスネットワークに対する前記端末のインタフェースを経由して該端末に送信する手段を有する。該AGWは、アドレス情報を記憶する記憶部と前記アドレス情報を管理し前記アドレス情報から宛先を選択して該メッセージを送信する制御部を有する。【００２１】
ここで本発明の端末は、接続する各アクセスネットワークに属するAGWに、各アクセスネットワークとは異なるアクセスネットワークに対する該端末のインタフェースのアドレス情報含むメッセージを送信する手段を有している。【００２２】
また本発明のAGWは、端末に対する送信情報を蓄積する記憶部を備え、記憶部に蓄積された送信情報量が閾値を超えたときにハンドオーバを要求するメッセージの送信契機と判定する。【００２３】
さらにまた本発明のAGWは、端末に提供している通信品質QoSを記憶する記憶部と、通信品質を計測および記憶部の通信品質と比較する制御部とを備えている。AGWは計測された通信品質が記憶部に蓄積された通信品質に比較して劣化したときにメッセージ送信契機と判定する。制御部は該通信品質としてパケット廃棄率または遅延の少なくとも何れかを計測および比較する。【００２４】
さらにまた本発明のAGWは、前記所定のメッセージ送信契機判定においてランダムにメッセージ送信契機と判定する。或いはAGWは端末に提供している通信品質を記憶する記憶部を備え、該通信品質が一定範囲の場合にメッセージ送信契機と判定する。通信品質は例えばトラヒッククラスまたはプライオリティまたは遅延またはパケット廃棄率の何れかであって良い。
【発明の効果】
【００２５】
本発明の無線システムによれば、アクセスネットワークはフロー制御を行うAGWを備えており、該AGWはパケット送信停止信号を受信すると所定のメッセージ送信契機判定を行う。また端末は、該メッセージ受信を契機に異なるアクセスネットワークへのハンドオーバを行う手段を有する。そのため、各アクセスシステム内でトラヒック負荷が吸収できる場合は、当該アクセスシステムを使用するため不要な切替えを無くすことが出来る。安定して１つのアクセスシステムを利用出来るので、切替えに付随するシグナリングオーバーヘッドや通信断の回数や時間を低減することが出来る。【００２６】
また本発明のAGWは、端末に対する送信情報を蓄積する記憶部を備え、記憶部に蓄積された送信情報量が閾値を超えたときにハンドオーバを要求するメッセージの送信契機と判定する。各アクセスシステム内でトラヒック負荷が吸収しきれない場合は、現在使用中のアクセスシステムと異なるアクセスシステムに切り替えるため、各アクセスシステムのAGWでのパケット廃棄を低減出来る。【００２７】
さらにまた本発明のAGWは、端末に提供している通信品質を記憶する記憶部と、通信品質を計測および記憶部の通信品質と比較する制御部とを備えている。AGWは、計測された通信品質が記憶部に蓄積された通信品質に比較して劣化したときにメッセージ送信契機と判定する。各アクセスシステム内でトラヒック負荷が吸収しきれずに通信品質が劣化する場合は、現在使用中のアクセスシステムと異なるアクセスシステムに切り替えるため、通信品質の劣化を低減出来る。【００２８】
さらにまた本発明のAGWは、端末に提供している通信品質を記憶する記憶部を備え、該通信品質が一定範囲の場合にメッセージ送信契機と判定する。AGWは、端末に提供している通信品質を維持するのに必要なときだけ異種アクセスシステムにハンドオーバさせることが出来る。【００２９】
さらにまた本発明のAGWは、前記所定のメッセージ送信契機判定においてランダムにメッセージ送信契機と判定する。AGWがパケット送信停止信号を受信した全てのIPフローを一斉にハンドオーバさせると、ハンドオーバ先で負荷が集中する懸念があるが、ランダムにハンドオーバを行うため負荷を分散することが出来る。【００３０】
本発明のAGWは、前記ハンドオーバを要求するメッセージを該AGWの属するアクセスネットワークと、該AGWの属するアクセスネットワークに対する前記端末のインタフェースを経由して該端末に送信する。このとき該AGWおよび該AGWの属するアクセスネットワークは、前記メッセージをユーザデータより高い優先度で送信する。よって通信が完全に途絶しなければ、ユーザデータの伝送が停止する状況でもAGWはハンドオーバを要求するメッセージを端末に伝送することが出来る。【００３１】
本発明のAGWは、前記ハンドオーバを要求するメッセージを、該AGWの属さないアクセスネットワークと、該アクセスネットワークに対する前記端末のインタフェースを経由して該端末に送信する手段を有する。よって、使用しているアクセスシステムにおいて完全に通信が途絶えても、異なるアクセスシステムを迂回してメッセージを送るので、AGWは端末にハンドオーバを要求するメッセージを伝えることが出来る。【００３２】
本発明の端末は、接続する各アクセスネットワークに属するAGWに、各アクセスネットワークとは異なるアクセスネットワークに対する該端末のインタフェースのアドレス情報含むメッセージを送信する手段を有している。そこでAGWはメッセージを送信すべき宛先となるアドレスを得ることが出来る。
【発明を実施するための最良の形態】
【００３３】
以下、図1に示したような無線システムに適用可能な、本発明の各種端末、アクセスネットワーク及びアクセスゲートウェイ等に関する実施形態を、図面を参照しながら説明する。
[HATの例] 
まず、図2に、本発明の１実施例になるHATの構成例を示す。先に述べたとおり、HAT 19（及びHAT 20）は、異なる複数のアクセスシステムに接続するインタフェースを備えたハイブリッドアクセス端末である。図2において、1xEv-DOインタフェース(1xEv-DO IF) 34は、1xEv-DO RAN 5に接続するためのインタフェースである。BB(ベースバンド部) 38は1xEv-DOの送受信信号のベースバンド処理、例えば、送信信号を変調し、受信信号の同期補足および復調を行う。IF(インタフェース部) 37は1xEv-DOの中間周波数（IF: Intermediate Frequency）の信号処理を行う。IF 37はBB 38から入力される1xEv-DOのベースバンド信号をDA（Digital to Analog ）変換の上、中間周波数へ変換し、RF（無線部） 36に出力する。またIF 37は、RF 36から入力される1xEv-DOの無線信号をAD（Analog to Digital）変換してBB 38に出力する。RF 36は1xEv-DOの無線周波数（RF: Radio Frequency）の信号処理を行う。RF 36は、IF 37から入力した信号を無線周波数にアップコンバートし、送信電力を増幅の上アンテナ35に出力する。またRF 36は、アンテナ35から入力した無線信号を中間周波数にダウンコンバートの上、IF 37へ出力する。【００３４】
WLANインタフェース(WLAN IF)39は、WLAN RAN 9に接続するためのインタフェースである。BB 43は無線LANの送受信信号のベースバンド処理、例えば、送信信号を変調し、受信信号の同期補足および復調を行う。IF 42は、無線LANの中間周波数（IF: Intermediate Frequency）の信号処理を行う。IF 42は、BB 43から入力される無線LANのベースバンド信号をDA（Digital to Analog ）変換の上、中間周波数へ変換し、RF 41に出力する。またIF 42は、RF 41から入力される無線LANの無線信号をAD（Analog to Digital）変換してBB 43に出力する。RF（無線部）43は、無線LANの無線周波数（RF: Radio Frequency）の信号処理を行う。RF 41は、IF 42から入力した信号を無線周波数にアップコンバートし、送信電力を増幅の上アンテナ40に出力する。またRF 41は、アンテナ40から入力した無線信号を中間周波数にダウンコンバートの上、IF 42へ出力する。【００３５】
WiMAXインタフェース(WiMAX IF)44は、WiMAX RAN 13に接続するためのインタフェースである。BB 48は、WiMAXの送受信信号のベースバンド処理、例えば、送信信号を変調し、受信信号の同期補足および復調を行う。IF 47は、WiMAXの中間周波数（IF: Intermediate Frequency）の信号処理を行う。IF 47は、BB 48から入力されるWiMAXのベースバンド信号をDA（Digital to Analog ）変換の上、中間周波数へ変換し、RF 46に出力する。またIF 47は、RF 46から入力されるWiMAXの無線信号をAD（Analog to Digital）変換してBB 48に出力する。RF（無線部）46は、WiMAXの無線周波数（RF: Radio Frequency）の信号処理を行う。RF 46は、IF 47から入力した信号を無線周波数にアップコンバートし、送信電力を増幅の上アンテナ45に出力する。またRF 46は、アンテナ45から入力した無線信号を中間周波数にダウンコンバートの上、IF 47へ出力する。【００３６】
Wire-lineインタフェース(Wire-line IF)49は、Wire-line Network 3に接続するためのインタフェースである。【００３７】
制御部31はAP全体の管理機能を有する。また制御部31は、送受信するパケットの組み立て・分解・廃棄等や、パケットの送信タイミング制御、記憶部32の情報管理、メッセージの送信、受信したメッセージの解析とメッセージに応じたハンドオーバ等の各種処理、また電話会議等のアプリケーションソフトウェアの実行を行う。記憶部32は、送受信するデータおよびQoS情報や各インタフェースのアドレス情報を含む管理情報を保持する。UIF 33は、キーボード、ディスプレイ、スピーカ等のユーザインタフェースである。
[APの例]
図3に、本発明の実施例になるAP (AP 7またはAP 11またはAP 15)の構成例を示す。図3において、ネットワークインタフェース(NW IF) 55は、PCF 6またはH/R 10またはH/R 14に接続するためのネットワークとのインタフェースである。BB 54は、送受信信号のベースバンド処理、例えば、送信信号を変調し、受信信号の同期補足および復調を行う。IF 53は、中間周波数（IF: Intermediate Frequency）の信号処理を行う。IF 53は、BB 54から入力されるベースバンド信号をDA（Digital to Analog ）変換の上、中間周波数へ変換し、RF 52に出力する。またIF 53は、RF 52から入力される信号をAD（Analog to Digital）変換してBB 54に出力する。RF（無線部）52は、無線周波数（RF: Radio Frequency）の信号処理を行う。RF 52は、IF 53から入力した信号を無線周波数にアップコンバートし、送信電力を増幅の上アンテナ51に出力する。またRF 52は、アンテナ51から入力した無線信号を中間周波数にダウンコンバートの上、I F53へ出力する。制御部57は、AP全体の管理機能を有する。また制御部57は、無線伝送単位およびNW IF 55を介して送受信するパケットの組み立て・分解・廃棄等や、タイマ56を用いた無線伝送単位の送信タイミング制御、記憶部58の情報管理、フロー制御等のメッセージ組み立てと送信を行う。記憶部58は、送受信するデータおよびQoS情報等の管理情報を保持する。タイマ26は、時刻に拠り増加するカウンタである。
[H/Rの例]
図4に、本発明の実施例になるH/R (H/R 10またはH/R 14またはH/R 18)の構成例を示す。図4において、NW IF 61は、AGWに接続するためのネットワークインタフェース、NW IF 62は、APもしくはHATに接続するためのネットワークインタフェースである。SW 64は、パケットを該パケットのヘッダのアドレス情報に従って交換するスイッチである。制御部33は、記憶部37に保持される情報の管理、パケットの組み立て、分解および送受信、フロー制御を行う。記憶部37は、送受信するパケットデータおよびフロー制御等に必要な管理情報を保持する。
[PCFの例]
図5に、本発明の実施例になるPCF 6の構成例を示す。図5において、NW IF 71はAPに接続するためのネットワークインタフェース、NW IF 76はAGWに接続するためのネットワークインタフェースである。SW 72、75はパケットを交換するスイッチである。制御部73は、PCF 6全体の管理を行う。TC(Traffic Controller) 74は、PCF 6の転送するパケットの組み立て、分解および送受信を行うトラヒック制御部である。【００３８】
図6に、本発明の実施例になるTC 74の構成例を示す。記憶部77は送受信するパケットデータおよび管理情報を保持する。CPU 78は、記憶部77に保持される情報の管理、組み立て・分解・廃棄等パケット送受信処理、フロー制御を行う。
[AGWの例]
図7に、本発明の実施例になるAGW (AGW 2またはAGW 4またはAGW 8またはAGW 12)の構成例を示す。図7において、NW IF 86はアクセスネットワークに接続するためのネットワークインタフェースである。NW IF 86を介して各アクセスネットワークに依存したフォーマットのパケットが送受信される。NW IF 87は、コアネットワーク１に接続するためのネットワークインタフェースである。NW IF 87を介してIPパケットが送受信される。記憶部82は、送受信するパケットおよびアドレス情報、QoS情報およびフロー制御等の管理情報を保持する。制御部83は、記憶部82に保持される情報の管理、アクセスネットワーク伝送用のパケットおよびIPパケットの組み立て・分解・廃棄等パケット送受信処理、フロー制御、QoSの実測、メッセージ送信契機判断、HATに対してハンドオーバを要求するメッセージの送信処理を行う。UIF 84は、ユーザインタフェースである。タイマ85は時刻に拠り増加するカウンタであり、記憶部82にパケットが滞留する時刻測定等に用いる。
[HAの例]
HA 17は、モバイルＩＰのホームエージェントである。図8に本発明の実施例になるHA 17の構成例を示す。図8において、NW IF 90はコアネットワーク1に接続するためのネットワークインタフェースである。記憶部88は、送受信するパケットおよびアドレス情報、QoS情報およびフロー制御等の管理情報を保持する。制御部89はパケット組み立て、分解処理、メッセージの解析と処理およびメッセージ作成、記憶部の情報管理を行う。
[CNの例]
図9に、本発明の実施例になるHATの通信相手であるCN 16の構成例を示す。図9において、NW IF 96はコアネットワーク1に接続するためのネットワークインタフェースである。記憶部92は、送受信するパケットや情報を保持する。制御部93はパケット組み立て、分解処理、記憶部の情報管理、各種アプリケーションの実行を行う。UIF 94はユーザインタフェースである。本実施例でCN 16は有線でCore Network上に接続されているが、HATの通信相手は無線端末であっても良い。
[優先度に応じたフロー制御の例]
本発明の実施例になる優先度に応じたフロー制御の例を以下に説明する。  
図10に、AP、PCF、H/R、AGWのそれぞれの記憶部（記憶部58、PCFの記憶部77、H/Rの記憶部63またはAGWの記憶部82）に確保された、下り(HAT向き)の送信バッファを示す。AP、PCF、H/R、AGWのそれぞれの制御部（制御部57、PCFのCPU 78、H/Rの制御部65またはAGWの制御部83）は、送信パケットのヘッダに指定された優先度を参照し、高優先度のパケットは高優先度用バッファ26に、低優先度のパケットは低優先度用バッファ27に格納する。さらに、AP、PCF、H/R、AGWのそれぞれの制御部は、高優先度用バッファ26内のパケットを低優先度用バッファ27内のパケットより先に読み出し下り方向に送信する。【００３９】
図10では、Flow 1のパケットが高優先度、Flow 2のパケットが低優先度である。Flow 1のパケットは高優先度用バッファ26に格納され、Flow 2のパケットは低優先度用バッファ27に格納される。さらにFlow 1のパケットがFlow 2のパケットに先駆けてHATの向きに送信される。ここで制御部が参照するヘッダに指定された優先度とは、例えばIPパケットのDSCP(DiffServ Code Point)であって良い。【００４０】
ユーザデータはFlow 2で送信し、AGWからHATに送信する後述のハンドオーバ要求(HOR: Hand Over Request)メッセージを含む制御データはFlow 1で送信する。ユーザデータは、HATのユーザが音声会話やファイルダウンロード等のアプリケーションで利用するデータである。【００４１】
無線伝送路で輻輳が起こると、制御データの優先度が高いために先ずユーザデータの滞留量が増加する。APのユーザデータの滞留量が一定量を超えるとAPの制御部57はフロー制御のパケット停止信号をPCFもしくはH/Rに送信する。PCFもしくはH/Rは、パケット停止信号を受けて下り方向のユーザデータのパケットを低優先度バッファ27に蓄積する。さらに輻輳状態が回復しないとPCFもしくはH/Rの記憶部に滞留するユーザデータのパケットが一定量を超え、これを契機にPCFのCPU 78もしくはH/Rの制御部65が、図40に示した通りにパケット停止信号23をAGWに送信する。【００４２】
アクセスネットワーク内の有線伝送路で輻輳が起こった場合も同様に、各アクセスネットワークのAGWにユーザデータに対するパケット停止信号23が送られる。例えばHAT 19とH/R 18間に輻輳が起こったとすると、H/R 18は下り方向のユーザデータのパケットを低優先度バッファ27に蓄積し始める。さらに輻輳状態が回復しないとH/Rの記憶部に滞留するユーザデータのパケットが一定量を超え、これを契機にH/R 18の制御部65が、図40に示した通りにパケット停止信号23をAGWに送信する。【００４３】
AGWの制御部83は、パケット停止信号23を受けて下り方向のユーザデータのパケットを低優先度バッファ27に蓄積する。さらに輻輳状態が回復せず記憶部82に滞留するユーザデータのパケットが一定量を超えた場合、AGWの制御部83がFlow 1のパケットとしてHORメッセージを送信する。HORメッセージはPCFもしくはH/Rで受信され、高優先度用バッファ26に格納される。HORメッセージは低優先度用バッファ27の情報に先駆けてAPに送信される。さらにHORメッセージはAPで受信され、高優先度用バッファ26に格納される。HORメッセージは低優先度用バッファ27の情報に先駆けてHATに送信される。【００４４】
このように通信が完全に途絶しなければ、優先度に応じたフロー制御によってユーザデータの伝送が停止する状況でもAGWはHORメッセージをHATに伝送することが出来る。
[優先度に応じたフロー制御でHORを送信する1xEv-DOからWLANへのHOの例]
図11に、前記優先度に応じたフロー制御によりAGWがHORメッセージを送信して、HATが1xEv-DOから無線LANにハンドオーバするときのコールフローの1例を示す。【００４５】
はじめに、HAT 19が1xEv-DO RAN 5に接続し、CN 16とIPフロー（IP Flow 101）によって通信を行っているものとする。ここでIPフローとは同一送信元アドレスおよび宛先アドレスの連続したIPパケット列であり、特にIP Flow 101はユーザデータを格納したIPパケット列である。【００４６】
1xEv-DOの無線伝送路もしくは1xEv-DO RAN 5内で輻輳が起こり、1xEv-DO RAN 5のPCF 6からIP Flow 101に対するパケット停止信号（Xoff） 102がAGW 4に送信される。【００４７】
AGW 4は、HAT 19に対してハンドオーバを要求するHORメッセージの送信契機の判定を行う。例えばAGW 4の制御部83は、記憶部82に確保された低優先度用バッファ27の容量が閾値を上回ったことをHORメッセージの送信契機103とする。HORメッセージ送信契機103となると、制御部83はHORメッセージを格納したパケット104を作成し、制御データとしてNW IF 86よりHAT 19に向けて送信する。【００４８】
メッセージフォーマットについては後述するが、パケット104のフォーマットの1例は、図19に示されている。またパケット104に格納されるHORメッセージフォーマットの１例は、図23に示されている。【００４９】
パケット104は、1xEv-DO RAN 5を経由してHAT19の1xEv-DO IF 34で受信される。HAT 19の制御部31はパケット104のHORメッセージを解析し、ハンドオーバ先のアクセスシステムを決定する。HAT 19の制御部31がハンドオーバ先のアクセスシステムは無線LANであると決定したとする。さらにHAT 19の制御部31はハンドオーバに必要なメッセージ列105を送受信して、例えば非特許文献3に記載の、所定のハンドオーバ手続きを行う。HAT 19はWLAN RAN 9に接続し、IP Flow 101からIP Flow 106に切り替えてCN 16と通信を行う。【００５０】
本実施例によれば、各アクセスシステム内でトラヒック負荷が吸収できる場合に、当該アクセスシステムを使用するため不要な切替えを無くすことが出来る。安定して１つのアクセスシステムを利用出来るので、切替えに付随するシグナリングオーバーヘッドや通信断の回数や時間を低減することが出来る。【００５１】
また、アクセスネットワークは、メッセージをユーザデータより高い優先度で送信する。よって通信が完全に途絶しなければ、ユーザデータの伝送が停止する状況でもAGWはハンドオーバを要求するメッセージを端末に伝送することが出来る。
[優先度に応じたフロー制御でHORを送信するWLANから1xEv-DOへのHOの例]
図12に、優先度に応じたフロー制御によりAGWがHORメッセージを送信して、HATが無線LANから1xEv-DOにハンドオーバするときの、コールフローの1例を示す。今度は、はじめにHAT 19がWLAN RAN 9に接続し、CN16とIP Flow 107によって通信を行っているものとする。IP Flow 107は、ユーザデータを格納したIPパケット列である。【００５２】
無線LANの無線伝送路もしくはWLAN RAN 9内で輻輳が起こり、WLAN RAN 9のH/R 10からIP Flow 107に対するパケット停止信号108がAGW 8に送信される。AGW 8は、HAT 19に対してハンドオーバを要求するHORメッセージの送信契機の判定を行う。例えばAGW 8の制御部83は、記憶部82に確保された低優先度用バッファ27の容量が閾値を上回ったことをHORメッセージの送信契機109とする。HORメッセージの送信契機109となると、制御部83はHORメッセージを格納したパケット110を作成し、制御データとしてNW IF 86よりHAT 19に向けて送信する。パケット110はWLAN RAN 9を経由してHAT 19のWLAN IF 39で受信される。【００５３】
HAT 19の制御部31は、パケット110のHORメッセージを解析し、ハンドオーバ先のアクセスシステムを決定する。HAT 19の制御部31がハンドオーバ先のアクセスシステムは1xEv-DO であると決定したとする。さらにHAT 19の制御部31はハンドオーバに必要なメッセージ列111を送受信して、例えば非特許文献3に記載の、所定のハンドオーバ手続きを行う。HAT 19は1xEv-DO RAN 5に接続し、IP Flow 107からIP Flow 112に切り替えてCN 16と通信を行う。【００５４】
本実施例によれば、各アクセスシステム内でトラヒック負荷が吸収できる場合に、当該アクセスシステムを使用するため不要な切替えを無くすことが出来る。安定して１つのアクセスシステムを利用出来るので、切替えに付随するシグナリングオーバーヘッドや通信断の回数や時間を低減することが出来る。【００５５】
また、アクセスネットワークは、メッセージをユーザデータより高い優先度で送信する。よって通信が完全に途絶しなければ、ユーザデータの伝送が停止する状況でもAGWはハンドオーバを要求するメッセージを端末に伝送することが出来る。
[異種システムを迂回してHORを送信する1xEv-DOからWLANへのHOの例]
あるアクセスシステムで完全に通信が途絶えても、異なるアクセスシステムを迂回すれば、AGWはHATにHORメッセージを伝えることが出来る。この場合の1xEv-DOから無線LANへのハンドオーバの実施例を、以下に説明する。【００５６】
図13は、1xEv-DOの通信が止まった状態で1xEv-DOのAGWがWLAN RAN 9を経由してHORメッセージをHAT 19に伝送し、これを契機にHAT 19が1xEv-DO RAN 5からWLAN RAN 9へハンドオーバするときの、コールフロー例である。【００５７】
HAT 19が、1xEv-DO RAN 5のAP 7のサービスエリアに入ると、メッセージ列114を送受信して所定の認証手続きや通信路確立手続きを行う。これらの手続きを通してHAT 19の1xEv-DO IF 34のIPアドレスが確定する。つまり移動先のネットワークで1xEv-DO IF 34に割り当てられるモバイルIPの気付けアドレス(CoA: Care of Address)と、1xEv-DO IF 34が利用するモバイルIPのホームエージェント（HA 17）のアドレスが確定する。【００５８】
HAT 19はモバイルIPのRRQ（Registration ReQuest）メッセージと、1xEv-DO IF 34以外にHAT 19が通信できるアクセスシステムのインタフェースのアドレス情報であるADR（ADdRess）メッセージを含むパケット115をHA 17に向けて送る。【００５９】
パケット115のフォーマットの1例は、図15に示す通りである。  
AGW4の制御部83は、パケット115を受信するとADRメッセージを解析しADRメッセージの情報を記憶部82のADRテーブルに登録する。さらにAGW 4の制御部83はパケット115から登録済みのADRメッセージを除いたパケット116を作成しHA 17に向けて送る。【００６０】
パケット116のフォーマットの1例は、図16に示す通りである。  
HA 17は、1xEv-DO IF34のIPアドレス情報を記憶部88のテーブルに登録し、モバイルIPのRRP（RRP: Registration ResPonse）メッセージ117を応答する。RRQメッセージとRRQメッセージのフォーマットとHA 17での処理はモバイルIPの規格通りで良い。RRQメッセージとRRQメッセージのフォーマットの例は、それぞれ図20と図21で説明する。【００６１】
HAT 19とCN 16との間でIP Flow 118の送受信が開始される。CNからHAT 19に送られるIP Flow 118のパケットは、一旦HA 17のNW IF 90で受信される。HA 17の制御部89が該パケットをカプセル化したIPパケットを作成の上、記憶部88のアドレステーブルを参照し宛先を設定してNW IF 90から送信する。さらにIP Flow 118のパケットはAGW 4および1xEv-DO RAN 5を経由して、HAT 19の1xEv-DO IF 34で受信される。【００６２】
HAT 19がWLAN RAN 9のAP 11のサービスエリアに入ると、メッセージ列119を送受信して所定の認証手続きや通信路確立手続きを行う。これらの手続きを通して、HAT 19のWLAN IF 39のIPアドレスが確定する。つまり移動先のネットワークでWLAN IF 39に割り当てられるモバイルIPの気付けアドレス(CoA: Care of Address)と、WLAN IF 39が利用するモバイルIPのホームエージェント（HA 17）のアドレスが確定する。HAT 19はモバイルIPのRRQメッセージと、WLAN IF 39以外にHAT 19が通信できるアクセスシステムのインタフェースのアドレス情報であるADRメッセージを含むパケット120をHA 17に向けて送る。今は1xEv-DO IF 34のアドレス情報を追加するメッセージを送る。【００６３】
パケット120のフォーマットの1例は、図15の通りである。【００６４】
AGW 8の制御部83は、パケット120を受信するとADRメッセージを解析し、ADRメッセージの情報を記憶部82のADRテーブルに登録する。さらにAGW 8の制御部83は、パケット120から登録済みのADRメッセージを除いたパケット121を作成しHA 17に向けて送る。【００６５】
パケット121のフォーマットの1例は、図16の通りである。【００６６】
HA 17は、WLAN IF 39のIPアドレス情報を記憶部88のテーブルに登録し、モバイルIPのRRPメッセージ 122を応答する。RRQメッセージとRRQメッセージのフォーマットの例は、それぞれ図20と図21で説明する。【００６７】
HAT 19の制御部31は、接続状況の変化に応じて接続している全てのアクセスシステムのAGWに記憶されたアドレス情報を更新するものとする。HAT 19は新規にWLAN RAN 9に接続し、通信できるアクセスシステムのインタフェースが増えたので、アドレス情報を追加するためにADRメッセージを含むパケット123をAGW 4に送信する。【００６８】
パケット123のフォーマットの1例は、図17に示す通りである。【００６９】
AGW 4の制御部83は、パケット123を受信するとメッセージを解析しADRメッセージの情報を記憶部82のADRテーブルに登録する。今は制御部83がWLAN IF 39のIPアドレス情報を記憶部82のADRテーブルに登録する。【００７０】
HAT 19がWLAN RAN 9に接続した後も、1xEv-DO RAN 5を経由してHAT 19とCN 16との間でIP Flow 124が送受信されているとする。さらに1xEv-DOの無線伝送路もしくは1xEv-DO RAN 5にて輻輳が起きたとする。【００７１】
1xEv-DO RAN 5のPCF 6から、IP Flow 118に対するパケット停止信号125がAGW 4に送信される。AGW 4は、HAT 19に対してハンドオーバを要求するHORメッセージの送信契機126の判定を行う。HORメッセージの送信契機の判定アルゴリズムについては後述するが、例えばAGW 4の制御部83は記憶部82に確保されたIP Flow 118の送信バッファの容量が閾値を上回ったことをHORメッセージの送信契機126とする。HORメッセージの送信契機となると、制御部83はHORメッセージを格納したパケット127を作成し、NW IF 87よりHAT 19に向けて送信する。【００７２】
パケット127のフォーマットの1例は、図19に示されている。またパケット127に格納されるHORメッセージフォーマットの１例は、図23に示されている。【００７３】
制御部83は、記憶部83のADRテーブルを参照し、パケット123で更新されたWLAN IF 39のIPアドレス情報をパケット127のヘッダ(IP Header 214)の宛先アドレスとして設定する。パケット127はHA 17に送られ、モバイルIPの処理に従ってカプセル化されてHAT 19に転送される。カプセル化されたパケット128はWLAN RAN 9を経由してHAT 19のWLAN IF 39で受信される。HAT 19の制御部31はパケット128のHORメッセージを解析し、ハンドオーバ先のアクセスシステムを決定する。HAT 19の制御部31がハンドオーバ先のアクセスシステムは無線LANであると決定したとする。さらにHAT 19の制御部31はハンドオーバに必要なメッセージ列129を送受信して、所定のハンドオーバ手続きを行う。HAT 19はIP Flow 124を、WLAN RAN 9を経由するIP Flow 130に切り替えてCN1 6と通信を行う。【００７４】
本実施例によれば、各アクセスシステム内でトラヒック負荷が吸収できる場合には、当該アクセスシステムを使用するため不要な切替えを無くすことが出来る。また、使用しているアクセスシステムにおいて完全に通信が途絶えても、異なるアクセスシステムを迂回してメッセージを送るので、AGWは端末にハンドオーバを要求するメッセージを伝えることが出来る。すなわち、各アクセスシステム内でトラヒック負荷が吸収しきれない場合は、現在使用中のアクセスシステムと異なるアクセスシステムに切り替えるため、各アクセスシステムのAGWでのパケット廃棄を低減出来る。
[異種システムを迂回してHORを送信するWLANから1xEv-DOへのHOの例]
無線LANから1xEv-DOへのハンドオーバの例を、以下に説明する。図14は、無線LANの通信が止まった状態で無線LANのAGWが1xEv-DO RAN 5を経由してHORメッセージをHAT 19に伝送し、これを契機にHAT 19がWLAN RAN 9から1xEv-DO RAN 5へハンドオーバするときのコールフロー例である。【００７５】
HAT 19が1xEv-DO RAN 5のAP 7のサービスエリアに入ると、メッセージ列134を送受信して所定の認証手続きや通信路確立手続きを行う。これらの手続きを通してHAT 19の1xEv-DO IF 34のIPアドレスが確定する。つまり移動先のネットワークで1xEv-DO IF 34に割り当てられるモバイルIPの気付けアドレス(CoA: Care of Address)と、1xEv-DO IF 34が利用するモバイルIPのホームエージェント（HA17）のアドレスが確定する。【００７６】
HAT 19は、モバイルIPのRRQメッセージと、1xEv-DO IF 34以外にHAT 19が通信できるアクセスシステムのインタフェースのアドレス情報であるADRメッセージを含むパケット135をHA 17に向けて送る。【００７７】
パケット135のフォーマットの1例は、図15に示した通りである。  
AGW 4の制御部83は、パケット135を受信するとADRメッセージを解析し、ADRメッセージの情報を記憶部82のADRテーブルに登録する。さらにAGW 4の制御部83は、パケット135から登録済みのADRメッセージを除いたパケット136を作成しHA 17に向けて送る。【００７８】
パケット136のフォーマットの1例は、図16に示した通りである。  
HA 17は、1xEv-DO IF 34のIPアドレス情報を記憶部88のテーブルに登録し、モバイルIPのRRP（RRP: Registration ResPonse）メッセージ137を応答する。RRQメッセージとRRQメッセージのフォーマットとHA 17での処理はモバイルIPの規格通りで良い。【００７９】
RRQメッセージとRRQメッセージのフォーマットの例は、それぞれ図20と図21で説明する。【００８０】
HAT 19がWLAN RAN 9のAP 11のサービスエリアに入ると、メッセージ列139を送受信して所定の認証手続きや通信路確立手続きを行う。これらの手続きを通してHAT 19のWLAN IF 39のIPアドレスが確定する。つまり移動先のネットワークでWLAN IF 39に割り当てられるモバイルIPの気付けアドレス(CoA: Care of Address)と、WLAN IF 39が利用するモバイルIPのホームエージェント（HA 17）のアドレスが確定する。HAT 19はモバイルIPのRRQメッセージと、WLAN IF 39以外にHAT 19が通信できるアクセスシステムのインタフェースのアドレス情報であるADRメッセージを含むパケット140をHA 17に向けて送る。1xEv-DO IF 34のアドレス情報を追加するメッセージを送る。  
パケット140のフォーマットの1例は、図15に示した通りである。 
AGW 8の制御部83はパケット140を受信するとADRメッセージを解析し、ADRメッセージの情報を記憶部82のADRテーブルに登録する。さらにAGW 8の制御部83はパケット140から登録済みのADRメッセージを除いたパケット141を作成しHA 17に向けて送る。  
パケット141のフォーマットの1例は、図16に示した通りである。【００８１】
HA 17はWLAN IF 39のIPアドレス情報を記憶部88のテーブルに登録し、モバイルIPのRRPメッセージ142を応答する。  
RRQメッセージとRRQメッセージのフォーマットの例は、それぞれ図20と図21で説明する。【００８２】
HAT 19の制御部31は、接続状況の変化に応じて接続している全てのアクセスシステムのAGWに記憶されたアドレス情報を更新するものとする。HAT 19は新規にWLAN RAN 9に接続し、通信できるアクセスシステムのインタフェースが増えたので、アドレス情報を追加するためにADRメッセージを含むパケット143をAGW 4に送信する。  
パケット143のフォーマットの1例を、図17に示す。【００８３】
AGW 4の制御部83はパケット143を受信すると、メッセージを解析しADRメッセージの情報を記憶部82のADRテーブルに登録する。今は制御部83がWLAN IF 39のIPアドレス情報を記憶部82のADRテーブルに登録する。【００８４】
HAT 19がWLAN RAN 9に接続した後、HAT 19とCN 16との間でIP Flow 144の送受信が開始される。CNからHAT 19に送られるIP Flow 144のパケットは一旦HA 17のNW IF 90で受信される。HA 17の制御部89が該パケットをカプセル化したIPパケットを作成の上、記憶部88のアドレステーブルを参照し宛先を設定してNW IF 90から送信する。さらにIP Flow 144のパケットはAGW 8およびWLAN RAN 9を経由して、HAT 19のWLAN IF 39で受信される。【００８５】
1xEv-DOの無線伝送路もしくはWLAN RAN 9にて輻輳が起きたとする。WLAN RAN 9のH/R 10からIP Flow 144に対するパケット停止信号145がAGW 8に送信される。AGW 8はHAT 19に対してハンドオーバを要求するHORメッセージの送信契機146の判定を行う。例えばAGW 8の制御部83は、記憶部82に確保されたIP Flow 144の送信バッファの容量が閾値を上回ったことをHORメッセージの送信契機146とする。HORメッセージの送信契機となると、制御部83はHORメッセージを格納したパケット147を作成し、NW IF 87よりHAT 19に向けて送信する。【００８６】
パケット147のフォーマットの1例は、図19に示されている。またパケット147に格納されるHORメッセージフォーマットの１例は、図23に示されている。【００８７】
制御部83は、記憶部83のADRテーブルを参照し、1xEv-DO IF 34のIPアドレス情報をパケット147のヘッダ(IP Header 214)の宛先アドレスとして設定する。パケット147はHA 17に送られ、モバイルIPの処理に従ってカプセル化されてHAT 19に転送される。カプセル化されたパケット148は1xEv-DO RAN 5を経由してHAT 19の1xEv-DO IF 34で受信される。HAT 19の制御部31は、パケット148のHORメッセージを解析し、ハンドオーバ先のアクセスシステムを決定する。HAT 19の制御部31がハンドオーバ先のアクセスシステムは1xEv-DOであると決定したとする。さらにHAT 19の制御部31はハンドオーバに必要なメッセージ列149を送受信して、所定のハンドオーバ手続きを行う。HAT 19はIP Flow 144を、1xEv-DO RAN 5を経由するIP Flow 150に切り替えてCN 16と通信を行う。【００８８】
本実施によれば、各アクセスシステム内でトラヒック負荷が吸収できる場合には、当該アクセスシステムを使用するため不要な切替えを無くすことが出来る。また、使用しているアクセスシステムにおいて完全に通信が途絶えても、異なるアクセスシステムを迂回してメッセージを送るので、AGWは端末にハンドオーバを要求するメッセージを伝えることが出来る。すなわち、各アクセスシステム内でトラヒック負荷が吸収しきれない場合は、現在使用中のアクセスシステムと異なるアクセスシステムに切り替えるため、各アクセスシステムのAGWでのパケット廃棄を低減出来る。
[RRQ + ADR パケットフォーマットの例]
図15に、RRQメッセージとADRメッセージを含む、パケット115およびパケット135のフォーマットの１例を示す。IP Header 201はIPパケットのヘッダである。UDP Header 202はUDP(User Datagram Protocol)パケットのヘッダである。RRQ 203はRRQメッセージである。ADR 204はADRメッセージである。
[RRQパケットフォーマットの例]
図16に、RRQメッセージを含むパケットフォーマットの１例を示す。IP Header 205はIPパケットのヘッダである。UDP Header 206はUDP(User Datagram Protocol)パケットのヘッダである。RRQ 207はRRQメッセージである。
[ADRパケットフォーマットの例]
図17に、ADRメッセージを含むパケットフォーマットの１例を示す。IP Header 208はIPパケットのヘッダである。UDP Header 209はUDP(User Datagram Protocol)パケットのヘッダである。ADR 210はADRメッセージである。
[RRPパケットフォーマットの例]
図18に、RRPメッセージを含むパケットフォーマットの１例を示す。IP Header 211はIPパケットのヘッダである。UDP Header 212はUDP(User Datagram Protocol)パケットのヘッダである。RRP 213はRRPメッセージである。
[HORパケットフォーマットの例]
図19に、HORメッセージを含むパケットフォーマットの１例を示す。IP Header 214はIPパケットのヘッダである。UDP Header 215はUDP(User Datagram Protocol)パケットのヘッダである。RRP 216はHORメッセージである。
[RRQメッセージフォーマットの例]
図20に、RRQメッセージフォーマットの１例を示す。Control 221は制御情報でRRQメッセージであることを特定する識別子を含む。HoA(Home address) 222はHATのインタフェースのホームアドレスである。HATのインタフェースとは本例では1xEv-DO IF 34、 WLAN IF 39、WiMAX IF 44、Wire-line IF 49の何れかである。HA 223はホームエージェントのアドレスである。CoA 224はHATのインタフェースの気付けアドレスである。ID 225はメッセージの正しさをチェックするための情報である。
[RRPメッセージフォーマットの例]
図21に、RRPメッセージフォーマットの１例を示す。Control 231は制御情報でRRPメッセージであることを特定する識別子を含む。HoA(Home address) 232はHATのインタフェースのホームアドレスである。HATのインタフェースとは本例では1xEv-DO IF 34、 WLAN IF 39、WiMAX IF 44、Wire-line IF 49の何れかである。HA 233はホームエージェントのアドレスである。CoA 234はHATのインタフェースの気付けアドレスである。ID 235はメッセージの正しさをチェックするための情報である。
[ADRメッセージフォーマットの例]
図22に、HATがAGWに送信するADRメッセージのフォーマットの１例を示す。Control 240は制御情報で、ADRメッセージであることを特定する識別子と、後に続くアドレス情報をAGWの記憶部82に記憶されたADRテーブルに追加するか削除するかを指定するフラグを含む。NumAddr 241は後に続くアドレス情報の組の数である。本実施例ではn組のアドレス情報が続くとする。AddrInfo_1、AddrInfo_2、AddrInfo_nに構造体239のフォーマットでアドレス情報が指定される。HAT ID 245はHAT固有の識別子である。Sys ID 246はHATのインタフェースの種別を特定する識別子であり、例えばWire-line、1xEv-DO、無線LAN、WiMAXを特定する。HoA(Home address) 247はHATのインタフェースのホームアドレスである。HA248はホームエージェントのアドレスである。CoA 249はHATのインタフェースの気付けアドレスである。【００８９】
例えば、パケット123でHAT 19がWLAN IF 39のIPアドレス情報をAGWのテーブルに設定する場合の例を示す。HAT 19の制御部31は、Control 240のフラグに後に続くアドレス情報をADRテーブルに追加するように設定する。無線LANインタフェース１つのアドレス情報を送るので、制御部31はNumAddr 241に1を設定する。後に続くアドレス情報はAddrInfo_1のみである。WLAN IF 39のIPアドレスとして、ホームアドレスがHoA_1、ホームエージェントアドレスがHA_1、気付けアドレスがCoA_1であるとする。制御部31はHAT ID 245にHAT 19の識別子を設定し、Sys ID 246に無線LANであることを示す識別子を設定する。制御部31はHoA 247にHoA_1を、HA 248にHA_1を、CoA 249にCoA_1を設定する。【００９０】
また、HAT 19の制御部31が、Control 240のフラグに後に続くアドレス情報をADRテーブルから削除するように設定することも出来る。このときパケット123を受信したAGW 4の制御部83は、記憶部82のADRテーブルからControl 240のフラグに後に続くアドレス情報を削除する。
[HORメッセージフォーマットの例]
図23に、AGWがHATにハンドオーバを要求するための、HORメッセージのフォーマットの１例を示す。Control 251は制御情報で、HORメッセージであることを特定する識別子と、後に続くメッセージ形式の識別子を含む。SsysInfo 252はハンドオーバ元となるアクセスシステムの情報である。HAT ID 253はハンドオーバを要求するHATの識別子である。Sys ID 254はハンドオーバ元となるアクセスシステムの識別子である。【００９１】
パケット104によって、1xEv-DOのAGW 4がHAT 19に1xEv-DO以外のアクセスシステムへのハンドオーバを要求する場合の例を示す。AGW 4の制御部83はHAT ID 253にHAT 19の識別子を設定し、Sys ID 254に1xEv-DOであることを示す識別子を設定する。パケット104を受信したHAT 19の制御部31は、本メッセージを解析し、Sys ID 254に指定されたアクセスシステム以外に使用可能なアクセスシステムを１つ選択し、該システムへハンドオーバを開始する。本例ではSys ID 254に1xEv-DOが設定されている。HAT 19は、例えば1xEv-DO以外に無線LANしか使用可能でないとすると、無線LANを選択してハンドオーバを開始する。【００９２】
図24、にHORメッセージのフォーマットの、他の１例を示す。Control 255は制御情報であり、HORメッセージであることを特定する識別子と、後に続くメッセージ形式の識別子を含む。SsysInfo 252は、図23と同様にハンドオーバ元となるアクセスシステムの情報である。HAT ID 253はハンドオーバを要求するHATの識別子である。Sys ID 254はハンドオーバ元となるアクセスシステムの識別子である。TsysInfo 256はハンドオーバ先となるアクセスシステムの情報である。HAT ID 257はハンドオーバを要求するHATの識別子である。Sys ID 258はハンドオーバ先となるアクセスシステムの識別子である。【００９３】
パケット127によって、1xEv-DOのAGW 4がHAT 19にWLAN RAN 9へのハンドオーバを要求する場合の例を示す。AGW 4の制御部83はHAT ID 253にHAT 19の識別子を設定し、Sys ID 254に1xEv-DOであることを示す識別子を設定する。またAGW 4の制御部83はHAT ID 257にHAT 19の識別子を設定し、Sys ID 258に無線LANであることを示す識別子を設定する。【００９４】
本メッセージは、HA 17にてパケット128に作り変えられてHAT 19に送信される。パケット104を受信したHAT 19の制御部31は、本メッセージを解析し、TsysInfo 256で指定されるアクセスシステムへハンドオーバを開始する。TsysInfo 256のSys ID 258に無線LANであることを示す識別子が設定されているので、HAT 19の制御部31はWLAN RAN 9へのハンドオーバを開始する。本例のメッセージにはハンドオーバ元となるアクセスシステムの情報（SsysInfo 252）と、ハンドオーバ先となるアクセスシステムの情報（TsysInfo 256）とを含むが、ハンドオーバ元となるアクセスシステムの情報は無くても良い。【００９５】
図25に、HORメッセージのフォーマットの、他の１例を示す。Control 29は制御情報で、HORメッセージであることを特定する識別子と、後に続くメッセージ形式の識別子を含む。SsysInfo 252は、図23と同様にハンドオーバ元となるアクセスシステムの情報である。TsysList 252はハンドオーバ先の候補となる複数のアクセスシステムの情報であり、フォーマットは図26に示される。TsysNum 261はハンドオーバ先の候補となるアクセスシステムの数である。TSysInfo_1、TSysInfo_2、TSysInfo_kはハンドオーバ先の候補となる各アクセスシステムの情報であり、フォーマットはTsysInfo 256と同様である。すなわち前記HAT ID 257とSys ID 258からなり、HAT ID 257はハンドオーバを要求するHATの識別子である。Sys ID 258はハンドオーバ先となるアクセスシステムの識別子である。【００９６】
1xEv-DOのAGW 4が、HAT 19にWLAN RAN 9、WiMAX RAN 13、Wire-line Network 3の3つのアクセスシステムの何れかへのハンドオーバを要求する場合の例を示す。AGW 4の制御部83は、記憶部82のADRテーブルからハンドオーバ先の候補とすべきアクセスシステムを選択することができる。AGW 4の制御部83は、HAT ID 253にHAT 19の識別子を設定し、Sys ID 254に1xEv-DOであることを示す識別子を設定する。またAGW4の制御部83は、TsysNum 261に3を設定する。AGW 4の制御部83は、TSysInfo_1のHAT ID 257にHAT 19の識別子を設定し、Sys ID 258に無線LANであることを示す識別子を設定する。AGW 4の制御部83は、TSysInfo_2のHAT ID 257にHAT 19の識別子を設定し、Sys ID 258にWiMAXであることを示す識別子を設定する。AGW 4の制御部83は、TSysInfo_3のHAT ID 257にHAT 19の識別子を設定し、Sys ID 258に有線（Wire-line）であることを示す識別子を設定する。【００９７】
本メッセージを受信したHAT 19は、無線LAN、WiMAX、有線の内からアクセスシステムを１つ選択してハンドオーバを開始する。TSysInfo_1、TSysInfo_2、TSysInfo_3の並びで優先順に選択しても良い。このときHAT 19の制御部31は、TSysInfo_1のSys ID 258に設定された無線LANを選択し、WLAN RAN 9へのハンドオーバを開始する。【００９８】
図23、図24、図25、図26に示すHORメッセージのSsysInfo 252およびTsysInfo 252には、HATの識別子（HAT ID）とアクセスシステムの識別子（Sys ID）のみを格納するが、加えてIPアドレス情報（HoA、HA、CoA）を格納するようにしても良い。AGWの制御部83はHORメッセージ作成のとき、記憶部82に保持されるADRテーブルを参照してこれらの情報を得る事が出来る。
[AGW QoS Tableの例]
図27、図28に、AGW 4の記憶部82に記録されるQoS情報の1例を示す。AGW 4は、HAT 19が要求したQoS（R QoS: Requested QoS）とネットワークが保証したQoS（G QoS: Granted QoS）の情報を管理する。このQoS情報交換の手続き例は、非特許文献2に開示されている。例えば、図13の114に示すメッセージ交換を通じてこのQoS情報交換が行われるとする。【００９９】
図27が、R QoSのフォーマットの１例である。ユーザID（User ID）270はHAT 19のユーザの識別子である。フロー数(Num Flow) 271はR QoSに格納されるIPフローの数である。ここでNum Flowがjとする。R QoS(Flow ID 1) 272、R QoS(Flow ID 2) 273、…、R QoS(Flow ID j) 274に、IPフロー毎にHAT 19が要求するQoSが指定される。【０１００】
例えば、R QoS(Flow ID 1)は、フローID（Flow ID）が1のIPフローについて、HAT 19が要求するQoSが指定される構造体296である。Flow IDが2以上の場合についても構造体のフォーマットは同様である。フローID（Flow ID）275は構造体296に指定されたQoSが適用されるIPフローの識別子である。情報長(length)276は276,277,278,279、…、280の情報の合計の長さである。セット数(Num Set)277は構造体296に格納されるQoSパラメータの組の数である。ここでNum Setがmであるとする。R QoS(Set ID 1)278、R QoS(Set ID 2)279、…、R QoS(Set ID m)280に、HAT 19が要求するQoSパラメータの組が指定される。HAT 19は、HAT 19が希望する順にそれぞれR QoS(Set ID 1) 278、R QoS(Set ID 2) 279、…、R QoS(Set ID m) 280を指定する。【０１０１】
例えば、R QoS(Set ID 1)は、セットID（Set ID）が1のQoSパラメータが指定される構造体297である。Set IDが2以上の場合についても構造体のフォーマットは同様である。Setの情報長（Set Length）281は構造体297の情報の合計の長さである。セットID（Set ID）は構造体297に格納されるQoSパラメータの組の識別子である。トラヒッククラス（Traffic class）283は会話、ストリーミング、バックグラウンド等のトラヒックのクラスが指定される。 優先度(Priority)284には、QoSを許可し無線リソースを割り当てる優先度が指定される。ピークレート(Peak rate)285にはピーク時の伝送レートが指定される。最大遅延（Max latency）286には許容される最大の遅延が指定される。最大ロスレート(Max loss rate)287には許容される最大のデータロスレートが指定される。最大ジッタ(max jitter)288には許容される最大のジッタが指定される。【０１０２】
図28は、G QoSのフォーマットの1例である。User ID 289はHAT 19のユーザの識別子である。Num Flow 290はG QoSに格納されるIPフローの数である。ここでNum Flowがjとする。G QoS(Flow ID 1)291、G QoS(Flow ID 2)292、…、G QoS(Flow ID j)293に、それぞれFlow IDが1、2、…、jのIPフローに割り当てられたQoSが指定される。【０１０３】
例えば、G QoS(Flow ID 1)は、Flow IDが1のIPフローに割り当てられたQoSが指定される構造体298である。Flow IDが2以上の構造体についてもフォーマットは同様である。Flow ID 294は、構造体298に指定されたQoSが適用されるIPフローの識別子である。Set ID 295は、QoSパラメータの組を指定する識別子である。
[AGW ADR Tableの例]
図29、図30、図31、図32に、AGWの記憶部82に記録されるADRテーブルの1例を示す。AGWの制御部83がHATから図22に示すADRメッセージを受信し、情報をADRテーブルに登録する。これらの例では、HAT 19、HAT 20が、図34に示す通りにアクセスネットワークに接続していることを前提とする。【０１０４】
つまり、HAT 19は、1xEv-DO RAN 5、WLAN RAN 9、Wire-line Access Network 3と接続している。HAT 19の1xEv-DO IF 34のホームアドレス（HoA）がHoA_5, ホームエージェントアドレス(HA)がHA_5、気付けアドレス(CoA)がCoA_5である。HAT 19のWLAN IF 39のホームアドレス（HoA）がHoA_1, ホームエージェントアドレス(HA)がHA_1、気付けアドレス(CoA)がCoA_1である。HAT 19のWire-line IF 49のホームアドレス（HoA）がHoA_2, ホームエージェントアドレス(HA)がHA_2、気付けアドレス(CoA)がCoA_2である。【０１０５】
また、HAT 20は、1xEv-DO RAN 5、WLAN RAN 9、WiMAX RAN 13と接続している。HAT 20の1xEv-DO IF 34のホームアドレス（HoA）がHoA_6, ホームエージェントアドレス(HA)がHA_6、気付けアドレス(CoA)がCoA_6である。HAT 20のWLAN IF 39のホームアドレス（HoA）がHoA_3, ホームエージェントアドレス(HA)がHA_3、気付けアドレス(CoA)がCoA_3である。HAT 20のWiMAX IF 44のホームアドレス（HoA）がHoA_4, ホームエージェントアドレス(HA)がHA_4、気付けアドレス(CoA)がCoA_4である。【０１０６】
図29は、AGW4の記憶部82に記録されるADRテーブルの1例である。HAT ID 301はHATの識別子である。Sys ID 302はアクセスシステムの識別子である。HoA 303はホームアドレスである。HA 323はホームエージェントのアドレスである。CoA 305は気付けアドレスである。行310の情報はHAT 19のWLAN IF 39のアドレス情報である。行311の情報はHAT 19のWire-line IF 49のアドレス情報である。行312の情報はHAT 20のWLAN IF 39のアドレス情報である。行313の情報はHAT 20のWiMAX IF 13のアドレス情報である。【０１０７】
図30は、AGW 8の記憶部82に記録されるADRテーブルの1例である。HAT ID 301はHATの識別子である。Sys ID 302はアクセスシステムの識別子である。HoA 303はホームアドレスである。HA 323はホームエージェントのアドレスである。CoA 305は気付けアドレスである。行314の情報はHAT 19の1xEv-DO IF 34のアドレス情報である。行315の情報はHAT 19のWire-line IF 49のアドレス情報である。行316の情報はHAT 20の1xEv-DO IF 34のアドレス情報である。行317の情報はHAT 20のWiMAX IF 13のアドレス情報である。【０１０８】
図31は、AGW 2の記憶部82に記録されるADRテーブルの1例である。HAT ID 301はHATの識別子である。Sys ID 302はアクセスシステムの識別子である。HoA 303はホームアドレスである。HA 323はホームエージェントのアドレスである。CoA 305は気付けアドレスである。行318の情報はHAT 19のWLAN IF 39のアドレス情報である。行319の情報はHAT 19の1xEv-DO IF 34のアドレス情報である。AGW 2にHAT 20が接続していないため、HAT 20に関するアドレス情報は本テーブルに登録されない。【０１０９】
図32は、AGW 12の記憶部82に記録されるADRテーブルの1例である。HAT ID 301はHATの識別子である。Sys ID 302はアクセスシステムの識別子である。HoA 303はホームアドレスである。HA 323はホームエージェントのアドレスである。CoA 305は気付けアドレスである。行320の情報はHAT 20の1xEv-DO IF 34のアドレス情報である。行321の情報はHAT 20のWLAN IF 39のアドレス情報である。AGW 12にHAT 19が接続していないため、HAT 19に関するアドレス情報は本テーブルに登録されない。【０１１０】
図29、図30、図31、図32は、HAT 19、HAT 20の各アクセスシステムのインタフェースに１つのIPアドレスが対応する例であるが、１つのアクセスシステムのインタフェースに複数のIPアドレスが割り当てられていても良い。このときAGW 8の記憶部83は、HORメッセージにIPアドレス情報も含めることにより、HATに対してIPフロー単位でハンドオーバを要求することが出来る。【０１１１】
AGWの制御部83は、ADRメッセージのControl 240のフラグに応じてADRテーブルの情報の追加削除を行う。またAGWの制御部83はあるIPフローの通信が無くなってから一定以上経過した場合、当該IPフローのアドレス情報をADRテーブルから削除しても良い。AGWはタイマ85により各IPフローの無通信時間をカウントできる。
[HA Tableの例]
図33に、HA 17の記憶部88に記録されるHATのアドレス情報テーブルの1例を示す。HA 17の制御部89は、NW IFを介してHATより受信したRRQメッセージの情報を本テーブルに登録する。【０１１２】
これらの例では、HAT 19、HAT 20が、図34に示す通りにアクセスネットワークに接続していることを前提とする。Control 331は制御情報である。HoA 332はHATのアクセスシステムのインタフェースに対するホームアドレスである。【０１１３】
前記インタフェースとは、本例では1xEv-DO IF 34、 WLAN IF 39、WiMAX IF 44、Wire-line IF 49の何れかである。HA 333は前記インタフェースのホームエージェントのアドレスである。CoA 334は前記インタフェースの気付けアドレスである。ID 335はメッセージの正しさをチェックするための情報である。行341の情報はHAT 19のWLAN IF 39のアドレス情報である。行342の情報はHAT 19のWire-line IF 49のアドレス情報である。行343の情報はHAT 20のWLAN IF 39のアドレス情報である。行344の情報はHAT 20のWiMAX IF 13のアドレス情報である。行345の情報はHAT 19の1xEv-DO IF 34のアドレス情報である。行346の情報はHAT 20の1xEv-DO IF 34のアドレス情報である。
[HOR送信契機判定アルゴリズムの例]
図35に、AGWの制御部83が実施するHORメッセージの送信契機判定アルゴリズムの１例を示す。Step 1でIP Flow 144がXoff状態か否かを検査する。ここでXoff状態とは、AGWが当該IPフローに対するパケット送信停止信号23を受信し、かつパケット送信再開信号24を未受信の状態である。【０１１４】
もしXoff状態であればStep 2で、AGWの制御部83は記憶部82に確保されたIP Flow 144の送信バッファの容量が閾値を上回ったか否かを検査する。もし記憶部82に確保されたIP Flow 144の送信バッファの容量が閾値を上回ったとき、Step 3でAGWの制御部83はHORメッセージを送信する。例えば制御部83はHORメッセージを格納したパケット147を作成し、NW IF 87よりHAT 19に向けて送信する。【０１１５】
また本フローでStep 2を行わなず、Step 1でXoff状態となったときに直ちにStep 3に進んでも良い。AGWは、送信バッファの状態に依らずアクセスネットワークの負荷が高い場合には、早期にHORメッセージを送信することが出来る。【０１１６】
図36に、AGWの制御部83が実施するHORメッセージの送信契機判定アルゴリズムの他の１例を示す。Step 1でIP Flow 144がXoff状態か否かを検査する。ここでXoff状態とは、AGWが当該IPフローに対するパケット送信停止信号23を受信し、かつパケット送信再開信号24を未受信の状態である。もしXoff状態であればStep 2で、AGWの制御部83は記憶部82に確保されたIP Flow 144の送信バッファの容量が閾値を上回ったか否かを検査する。もし記憶部82に確保されたIP Flow 144の送信バッファの容量が閾値を上回ったとき、Step 4で制御部83はIP Flow 144のハンドオーバを行うかを決定する。【０１１７】
例えば、Step 4で制御部83は一様乱数[0,1]を発生させ、該乱数が0.5以上ならIP Flow 144のハンドオーバを行うと決定する。【０１１８】
Step 4でIP Flow 144のハンドオーバを行うと決定されると、Step 3でAGWの制御部83はHORメッセージを送信する。例えば制御部83はHORメッセージを格納したパケット147を作成し、NW IF 87よりHAT 19に向けて送信する。図35に示すように条件を満たす全てのIPフローを一斉にハンドオーバさせると、ハンドオーバ先が同一となり負荷が集中する懸念がある。図36のStep 4で、ハンドオーバを行うIPフローを選択することにより負荷を分散することが出来る。【０１１９】
このように、本実施例によれば、AGWは、前記所定のメッセージ送信契機判定においてランダムにメッセージ送信契機と判定する。AGWがパケット送信停止信号を受信した全てのIPフローを一斉にハンドオーバさせると、ハンドオーバ先で負荷が集中する懸念があるが、ランダムにハンドオーバを行うため負荷を分散することが出来る。【０１２０】
図37に、AGWの制御部83が実施するHORメッセージの送信契機判定アルゴリズムの他の１例を示す。Step 1でIP Flow 144がXoff状態か否かを検査する。ここでXoff状態とは、AGWが当該IPフローに対するパケット送信停止信号23を受信し、かつパケット送信再開信号24を未受信の状態である。もしXoff状態であればStep 5で、AGWの制御部83はIP Flow 144のQoSの劣化を検査する。もしIP Flow 144のQoSの劣化が検出されれば、Step 3でAGWの制御部83はHORメッセージを送信する。例えば制御部83はHORメッセージを格納したパケット147を作成し、NW IF 87よりHAT 19に向けて送信する。【０１２１】
Step 5の1例として、AGWの制御部83は記憶部82に蓄積されるIP Flow 144のIPパケットの廃棄率を測定する。さらに、制御部83は測定されたIPパケットの廃棄率とIP Flow 144に保証されたIPパケットの廃棄率（Max loss rate 287）とを比較し、測定されたIPパケットの廃棄率がMax loss rate 287を超えるか、もしくはMax loss rate 287の一定率を超えた場合にIP Flow 144のQoSが劣化したと判断する。【０１２２】
またStep 5の他の1例として、AGWの制御部83は記憶部82に蓄積されるIP Flow 144のIPパケットの滞留時間を測定する。さらに、制御部83は測定されたIPパケットの滞留時間とIP Flow 144に保証されたIPパケットの最大許容遅延（Max latency 286）とを比較し、測定されたIPパケットの滞留時間がMax latency 286を超えるか、もしくはMax latency 286の一定率を超えた場合にIP Flow 144のQoSが劣化したと判断する。【０１２３】
このように、本実施例によれば、AGWは、計測された通信品質が記憶部に蓄積された通信品質QoSに比較して劣化したときにメッセージ送信契機と判定する。各アクセスシステム内でトラヒック負荷が吸収しきれずに通信品質が劣化する場合は、現在使用中のアクセスシステムと異なるアクセスシステムに切り替えるため、通信品質の劣化を低減出来る。【０１２４】
図38に、AGWの制御部83が実施するHORメッセージの送信契機判定アルゴリズムの他の１例を示す。Step 1でIP Flow 144がXoff状態か否かを検査する。ここでXoff状態とは、AGWが当該IPフローに対するパケット送信停止信号23を受信し、かつパケット送信再開信号24を未受信の状態である。もしXoff状態であればStep 6で、IP Flow 144のQoSパラメータがハンドオーバの対象範囲か否かを検査する。IP Flow 144のQoSパラメータがハンドオーバの対象範囲であれば、Step 2で、AGWの制御部83は記憶部82に確保されたIP Flow 144の送信バッファの容量が閾値を上回ったか否かを検査する。もし記憶部82に確保されたIP Flow 144の送信バッファの容量が閾値を上回ったとき、Step 3でAGWの制御部83はHORメッセージを送信する。例えば制御部83はHORメッセージを格納したパケット147を作成し、NW IF 87よりHAT 19に向けて送信する。【０１２５】
例えば、制御部83はStep 6で記憶部82のIP Flow 144のQoS情報を参照し、QoSパラメータの値がハンドオーバの対象範囲であるかを検査する。制御部83はG_QoSのIP Flow 144に対するSet ID 295を参照し、Flow 144に割り当てられたQoSパラメータを特定できる。制御部83はR_QoSのSet ID 282からSet ID 295に一致するQoSパラメータの組297を検索する。さらに例えば制御部83は、検索されたQoSパラメータの組297のPriority 284を参照しPriority 284の値が一定値以上の場合にIP Flow 144をハンドオーバの対象とする。【０１２６】
他のStep 6の例では、制御部83はR_QoSのSet ID 282からSet ID 295に一致するQoSパラメータの組297を検索する。例えば制御部83は、検索されたQoSパラメータの組297のTraffic class 283を参照し、Traffic class 283の値が”バックグラウンド”ではないときにのみIP Flow 144をハンドオーバの対象とする。【０１２７】
また他のStep 6の例では、制御部83はR_QoSのSet ID 282からSet ID 295に一致するQoSパラメータの組297を検索する。例えば制御部83は、検索されたQoSパラメータの組297のMax loss rate 287を参照し、Max loss rate 287の値が一定値以下のときにIP Flow 144をハンドオーバの対象とする。【０１２８】
さらにまた他のStep 6の例では、制御部83はR_QoSのSet ID 282からSet ID 295に一致するQoSパラメータの組297を検索する。例えば制御部83は、検索されたQoSパラメータの組286のMax latency 287を参照し、Max latency 287の値が一定値以下のときにIP Flow 144をハンドオーバの対象とする。【０１２９】
このように、本実施例によれば、AGWは、端末に提供している通信品質を維持するのに必要なときだけ異種アクセスシステムにハンドオーバさせることが出来る。【０１３０】
図39に、AGWの制御部83が実施するHORメッセージの送信契機判定アルゴリズムの他の１例を示す。Step 1でIP Flow 144がXoff状態か否かを検査する。ここでXoff状態とは、AGWが当該IPフローに対するパケット送信停止信号23を受信し、かつパケット送信再開信号24を未受信の状態である。もしXoff状態であればStep 6で、IP Flow 144のQoSパラメータがハンドオーバの対象範囲か否かを検査する。IP Flow 144のQoSパラメータがハンドオーバの対象範囲であれば、Step 5でAGWの制御部83はIP Flow 144のQoSの劣化を検査する。もしIP Flow 144のQoSの劣化が検出されれば、Step 3でAGWの制御部83はHORメッセージを送信する。例えば制御部83はHORメッセージを格納したパケット147を作成し、NW IF 87よりHAT 19に向けて送信する。【０１３１】
このように、本実施例によれば、AGWは、計測された通信品質が記憶部に蓄積された通信品質に比較して劣化したときにメッセージ送信契機と判定する。各アクセスシステム内でトラヒック負荷が吸収しきれずに通信品質が劣化する場合は、現在使用中のアクセスシステムと異なるアクセスシステムに切り替えるため、通信品質の劣化を低減出来る。【０１３２】
また本実施例によれば、AGWは、端末に提供している通信品質を維持するのに必要なときだけ異種アクセスシステムにハンドオーバさせることが出来る。【０１３３】
図１では、AGWとPCFあるいはH/Rが分離された構成を示したが、AGWとPCFあるいはAGWとH/Rが一体となった構成でも良い。この構成の場合、一体化したAGWはPCFあるいはH/Rから送信されたパケット停止信号ではなくAPから送信されたパケット停止信号の受信を条件として前記HORメッセージ送信契機の判定を行う。【０１３４】
また図１ではHATとアクセスネットワーク間の通信方式として、有線、1xEv-DO、無線LAN、WiMAXの例を示したが、本発明の適用対象となる無線通信方式はこれに限定されるものではない。例えば、PHS、GSM、W-CDMA等、他の無線通信方式にも、本発明を同様に適用できる。
【図面の簡単な説明】
【０１３５】
【図１】本発明の適用対象となる無線システム構成の１例を示す図。
【図２】本発明の１実施例になる端末の構成例を示す図。
【図３】本発明の１実施例になる基地局の構成例を示す図。
【図４】本発明の１実施例になるネットワーク装置の構成例を示す図。
【図５】本発明の１実施例になるパケット制御装置の構成例を示す図。
【図６】本発明の１実施例になるトラヒック制御部の構成例を示す図。
【図７】本発明の１実施例になるアクセスゲートウェイの構成例を示す図。
【図８】本発明の１実施例になるホームエージェントの構成例を示す図。
【図９】本発明の１実施例になるノード装置の構成例を示す図。
【図１０】本発明の１実施例になる優先制御方式の例を示す図。
【図１１】本発明の１実施例になるシステム間ハンドオーバのコールフローの例を示す図。
【図１２】本発明の他の実施例になるシステム間ハンドオーバのコールフローを示す図。
【図１３】本発明の他の実施例になるシステム間ハンドオーバのコールフローを示す図。
【図１４】本発明の他の実施例になるシステム間ハンドオーバのコールフローを示す図。
【図１５】本発明のパケットフォーマットの１例を示す図。
【図１６】本発明のパケットフォーマットの１例を示す図。
【図１７】本発明のパケットフォーマットの１例を示す図。
【図１８】本発明のパケットフォーマットの１例を示す図。
【図１９】本発明のパケットフォーマットの１例を示す図。
【図２０】RRQメッセージフォーマットの１例を示す図。
【図２１】RRPメッセージフォーマットの１例を示す図。
【図２２】本発明のメッセージフォーマットの１例を示す図。
【図２３】本発明のメッセージフォーマットの１例を示す図。
【図２４】本発明のメッセージフォーマットの１例を示す図。
【図２５】本発明のメッセージフォーマットの１例を示す図。
【図２６】本発明のメッセージフォーマットの１例を示す図。
【図２７】本発明におけるアクセスゲートウェイのテーブルの1例を示す図。
【図２８】本発明におけるアクセスゲートウェイのテーブルの1例を示す図。
【図２９】本発明におけるアクセスゲートウェイのテーブルの1例を示す図。
【図３０】本発明におけるアクセスゲートウェイのテーブルの1例を示す図。
【図３１】本発明におけるアクセスゲートウェイのテーブルの1例を示す図。
【図３２】本発明におけるアクセスゲートウェイのテーブルの1例を示す図。
【図３３】本発明におけるホームエージェントのテーブルの1例を示す図。
【図３４】本発明の１実施例になる無線システムの構成例を示す図。
【図３５】本発明の１実施例になる信号送信契機判定アルゴリズムを示す図。
【図３６】本発明の他の実施例になる信号送信契機判定アルゴリズムを示す図。
【図３７】本発明の他の実施例になる信号送信契機判定アルゴリズムを示す図。
【図３８】本発明の他の実施例になる信号送信契機判定アルゴリズムを示す図。
【図３９】本発明の他の実施例になる信号送信契機判定アルゴリズムを示す図。
【図４０】フロー制御方式の１例を示す図。
【符号の説明】
【０１３６】
１…コアネットワーク、２，４，８，１２…AGW、６…PCF、１０，１４，１８…H/R、７，１１，１５…AP、１９，２０…ＨＡＴ、１６…ＣＮ、１７…ＨＡ、２３…パケット送信停止信号、２４…パケット送信開始信号、３４…1xEv-DO IF、３９…WLAN IF、４４…WiMAX IF：４９…Wire-line IF、１０３，１０９，１２６，１４６…メッセージの送信契機。
【図１】
2007074511.tif 000003
【図２】
2007074511.tif 000004
【図３】
2007074511.tif 000005
【図４】
2007074511.tif 000006
【図５】
2007074511.tif 000007
【図６】
2007074511.tif 000008
【図７】
2007074511.tif 000009
【図８】
2007074511.tif 000010
【図９】
2007074511.tif 000011
【図１０】
2007074511.tif 000012
【図１１】
2007074511.tif 000013
【図１２】
2007074511.tif 000014
【図１３】
2007074511.tif 000015
【図１４】
2007074511.tif 000016
【図１５】
2007074511.tif 000017
【図１６】
2007074511.tif 000018
【図１７】
2007074511.tif 000019
【図１８】
2007074511.tif 000020
【図１９】
2007074511.tif 000021
【図２０】
2007074511.tif 000022
【図２１】
2007074511.tif 000023
【図２２】
2007074511.tif 000024
【図２３】
2007074511.tif 000025
【図２４】
2007074511.tif 000026
【図２５】
2007074511.tif 000027
【図２６】
2007074511.tif 000028
【図２７】
2007074511.tif 000029
【図２８】
2007074511.tif 000030
【図２９】
2007074511.tif 000031
【図３０】
2007074511.tif 000032
【図３１】
2007074511.tif 000033
【図３２】
2007074511.tif 000034
【図３３】
2007074511.tif 000035
【図３４】
2007074511.tif 000036
【図３５】
2007074511.tif 000037
【図３６】
2007074511.tif 000038
【図３７】
2007074511.tif 000039
【図３８】
2007074511.tif 000040
【図３９】
2007074511.tif 000041
【図４０】
2007074511.tif 000042
【手続補正書】
【提出日】平成18年4月21日(2006.4.21)
【手続補正１】
【補正対象書類名】特許請求の範囲
【補正対象項目名】全文
【補正方法】変更
【補正の内容】
【特許請求の範囲】
【請求項１】
アクセスネットワークのフロー制御を行うアクセスゲートウェイであって、
該アクセスネットワークからパケット送信停止信号を受信する手段と、
該パケット送信停止信号を受信すると所定のメッセージ送信契機判定を行い、メッセージ送信契機と判定されたとき、該アクセスネットワークに収容する端末に対して該アクセスゲートウェイが属する第１のアクセスネットワークとは異種の第２のアクセスネットワークへのハンドオーバを要求するメッセージを送信する制御部とを有する、アクセスゲートウェイ。
【請求項２】
請求項１において、
前記収容する端末のインタフェースのアドレス情報を含むメッセージを受信する手段と、
前記アドレス情報を記憶する記憶部とを備え、
前記制御部は、前記アドレス情報を管理し該アドレス情報から宛先を選択して前記メッセージを送信する、アクセスゲートウェイ。
【請求項３】
請求項１において、前記収容する端末に対する送信情報を蓄積する記憶部を備え、
前記所定のメッセージ送信契機判定において、前記記憶部に蓄積された前記送信情報量が閾値を超えたときに前記メッセージ送信契機と判定する、アクセスゲートウェイ。
【請求項４】
請求項１において、前記収容する端末に提供すべき通信品質を記憶する記憶部を備え、
前記制御部は、前記端末に提供された通信品質を計測し前記記憶部の前記通信品質と比較する機能を備え
該所定のメッセージ送信契機判定において計測された該通信品質が前記記憶部に蓄積された前記通信品質に比較して劣化したときに前記メッセージ送信契機と判定する、アクセスゲートウェイ。
【請求項５】
請求項４において、前記制御部は該通信品質としてパケット廃棄率または遅延の少なくとも何れかを計測および比較する、アクセスゲートウェイ。
【請求項６】
請求項１において、該所定のメッセージ送信契機判定において、ランダムに前記メッセージ送信契機と判定する、アクセスゲートウェイ。
【請求項７】
請求項１において、前記収容する端末に提供している通信品質を記憶する記憶部を備え、
該所定のメッセージ送信契機判定において該通信品質が一定範囲の場合に前記メッセージ送信契機と判定する、アクセスゲートウェイ。
【請求項８】
請求項７において、該通信品質はトラヒッククラスまたはプライオリティまたは遅延またはパケット廃棄率の少なくとも何れかである、アクセスゲートウェイ。
【請求項９】
第１及び第２のアクセスネットワークのそれぞれに対応して第１及び第２のアクセスゲートウェイが設置される無線システムに接続可能な端末であって、複数の異なるアクセスネットワークに対するインタフェースと、
接続する前記第１のアクセスネットワークに属する第１のアクセスゲートウェイに、該第１のアクセスネットワークとは異なる前記第２のアクセスネットワークに対する該端末のインタフェースのアドレス情報を含むメッセージを送信する手段を備えた、端末。
【請求項１０】
請求項９において、該端末の前記アクセスネットワークへの接続状況の変化に応じて、該端末が接続している全てのアクセスシステムのアクセスゲートウェイに記憶された前記アドレス情報を更新する機能を有する制御部を備えた、端末。
【請求項１１】
請求項９において、該端末が新規に接続したアクセスネットワークのアクセスゲートウェイに対して、前記アドレス情報を追加するためのメッセージを含むパケットを送信する機能を有する制御部を備えた、端末。
【請求項１２】
請求項１０において、ハンドオーバを要求するメッセージの受信手段と、前記メッセージ受信契機に前記異なる第２のアクセスネットワークへのハンドオーバを行う手段を有する、端末。
【請求項１３】
複数の異なるアクセスネットワークに対するインタフェースを備えた端末と複数の異なるアクセスネットワークとを備え、前記各アクセスネットワークはフロー制御を行うアクセスゲートウェイを有する、無線システムにおけるフロー制御方法であって、
前記アクセスゲートウェイは、パケット送信停止信号を受信したとき所定のメッセージ送信契機判定を行い、
メッセージ送信契機と判定されたとき前記端末に対して異なるアクセスネットワークへのハンドオーバを要求するメッセージを送信する、
無線システムにおけるフロー制御方法。
【請求項１４】
請求項１３において、
前記ハンドオーバを要求するメッセージを、該アクセスゲートウェイの属するアクセスネットワークと該アクセスゲートウェイの属するアクセスネットワークに対する前記端末のインタフェースを経由して、前記端末に送信する、
無線システムにおけるフロー制御方法。
【請求項１５】
請求項１４において、該アクセスゲートウェイおよび該アクセスゲートウェイの属するアクセスネットワークは、前記ハンドオーバを要求するメッセージをユーザデータより高い優先度で送信する、
無線システムにおけるフロー制御方法。
【請求項１６】
請求項１３において、
前記ハンドオーバを要求するメッセージを、該アクセスゲートウェイの属さない第２のアクセスネットワークと、該第２のアクセスネットワークに対する前記端末のインタフェースを経由して該端末に送信する、
無線システムにおけるフロー制御方法。
【請求項１７】
請求項１３において、前記所定のメッセージ送信契機判定において、前記端末に対する送信情報量が閾値を超えたときに前記メッセージ送信契機と判定する、
無線システムにおけるフロー制御方法。
【請求項１８】
請求項１３において、前記端末に提供された通信品質を計測し、
該計測された通信品質と、予め記憶部に保持された前記端末に提供すべき通信品質とを比較し、
所定のメッセージ送信契機判定において計測された該通信品質が前記記憶部の前記通信品質に比較して劣化したときに前記メッセージ送信契機と判定する、
無線システムにおけるフロー制御方法。
【請求項１９】
請求項１３において、前記アクセスネットワークが保証した通信品質の情報を管理し、
前記通信品質のパラメータがハンドオーバの対象範囲か否かを検査し、
対象範囲である場合に前記通信品質の比較を行なう、
無線システムにおけるフロー制御方法。
【手続補正書】
【提出日】平成20年6月26日(2008.6.26)
【手続補正１】
【補正対象書類名】明細書
【補正対象項目名】００３４
【補正方法】変更
【補正の内容】
【００３４】
WLANインタフェース(WLAN IF)39は、WLAN RAN 9に接続するためのインタフェースである。BB 43は無線LANの送受信信号のベースバンド処理、例えば、送信信号を変調し、受信信号の同期補足および復調を行う。IF 42は、無線LANの中間周波数（IF: Intermediate Frequency）の信号処理を行う。IF 42は、BB 43から入力される無線LANのベースバンド信号をDA（Digital to Analog ）変換の上、中間周波数へ変換し、RF 41に出力する。またIF 42は、RF 41から入力される無線LANの無線信号をAD（Analog to Digital）変換してBB 43に出力する。RF（無線部）41は、無線LANの無線周波数（RF: Radio Frequency）の信号処理を行う。RF 41は、IF 42から入力した信号を無線周波数にアップコンバートし、送信電力を増幅の上アンテナ40に出力する。またRF 41は、アンテナ40から入力した無線信号を中間周波数にダウンコンバートの上、IF 42へ出力する。
【手続補正２】
【補正対象書類名】明細書
【補正対象項目名】００３７
【補正方法】変更
【補正の内容】
【００３７】
制御部31はAP全体の管理機能を有する。また制御部31は、送受信するパケットの組み立て・分解・廃棄等や、パケットの送信タイミング制御、記憶部32の情報管理、メッセージの送信、受信したメッセージの解析とメッセージに応じたハンドオーバ等の各種処理、また電話会議等のアプリケーションソフトウェアの実行を行う。記憶部32は、送受信するデータおよびQoS情報や各インタフェースのアドレス情報を含む管理情報を保持する。UIF 33は、キーボード、ディスプレイ、スピーカ等のユーザインタフェースである。
[APの例]
図3に、本発明の実施例になるAP (AP 7またはAP 11またはAP 15)の構成例を示す。図3において、ネットワークインタフェース(NW IF) 55は、PCF 6またはH/R 10またはH/R 14に接続するためのネットワークとのインタフェースである。BB 54は、送受信信号のベースバンド処理、例えば、送信信号を変調し、受信信号の同期補足および復調を行う。IF 53は、中間周波数（IF: Intermediate Frequency）の信号処理を行う。IF 53は、BB 54から入力されるベースバンド信号をDA（Digital to Analog ）変換の上、中間周波数へ変換し、RF 52に出力する。またIF 53は、RF 52から入力される信号をAD（Analog to Digital）変換してBB 54に出力する。RF（無線部）52は、無線周波数（RF: Radio Frequency）の信号処理を行う。RF 52は、IF 53から入力した信号を無線周波数にアップコンバートし、送信電力を増幅の上アンテナ51に出力する。またRF 52は、アンテナ51から入力した無線信号を中間周波数にダウンコンバートの上、I F53へ出力する。制御部57は、AP全体の管理機能を有する。また制御部57は、無線伝送単位およびNW IF 55を介して送受信するパケットの組み立て・分解・廃棄等や、タイマ56を用いた無線伝送単位の送信タイミング制御、記憶部58の情報管理、フロー制御等のメッセージ組み立てと送信を行う。記憶部58は、送受信するデータおよびQoS情報等の管理情報を保持する。タイマ56は、時刻に拠り増加するカウンタである。
[H/Rの例]
図4に、本発明の実施例になるH/R (H/R 10またはH/R 14またはH/R 18)の構成例を示す。図4において、NW IF 61は、AGWに接続するためのネットワークインタフェース、NW IF 62は、APもしくはHATに接続するためのネットワークインタフェースである。SW 64は、パケットを該パケットのヘッダのアドレス情報に従って交換するスイッチである。制御部65は、記憶部63に保持される情報の管理、パケットの組み立て、分解および送受信、フロー制御を行う。記憶部63は、送受信するパケットデータおよびフロー制御等に必要な管理情報を保持する。
[PCFの例]
図5に、本発明の実施例になるPCF 6の構成例を示す。図5において、NW IF 71はAPに接続するためのネットワークインタフェース、NW IF 76はAGWに接続するためのネットワークインタフェースである。SW 72、75はパケットを交換するスイッチである。制御部73は、PCF 6全体の管理を行う。TC(Traffic Controller) 74は、PCF 6の転送するパケットの組み立て、分解および送受信を行うトラヒック制御部である。
【手続補正３】
【補正対象書類名】明細書
【補正対象項目名】００８８
【補正方法】変更
【補正の内容】
【００８８】
本実施によれば、各アクセスシステム内でトラヒック負荷が吸収できる場合には、当該アクセスシステムを使用するため不要な切替えを無くすことが出来る。また、使用しているアクセスシステムにおいて完全に通信が途絶えても、異なるアクセスシステムを迂回してメッセージを送るので、AGWは端末にハンドオーバを要求するメッセージを伝えることが出来る。すなわち、各アクセスシステム内でトラヒック負荷が吸収しきれない場合は、現在使用中のアクセスシステムと異なるアクセスシステムに切り替えるため、各アクセスシステムのAGWでのパケット廃棄を低減出来る。
[RRQ + ADR パケットフォーマットの例]
図15に、RRQメッセージとADRメッセージを含む、パケット115およびパケット135のフォーマットの１例を示す。IP Header 201はIPパケットのヘッダである。UDP Header 202はUDP(User Datagram Protocol)パケットのヘッダである。RRQ 203はRRQメッセージである。ADR 204はADRメッセージである。
[RRQパケットフォーマットの例]
図16に、RRQメッセージを含むパケットフォーマットの１例を示す。IP Header 205はIPパケットのヘッダである。UDP Header 206はUDP(User Datagram Protocol)パケットのヘッダである。RRQ 207はRRQメッセージである。
[ADRパケットフォーマットの例]
図17に、ADRメッセージを含むパケットフォーマットの１例を示す。IP Header 208はIPパケットのヘッダである。UDP Header 209はUDP(User Datagram Protocol)パケットのヘッダである。ADR 210はADRメッセージである。
[RRPパケットフォーマットの例]
図18に、RRPメッセージを含むパケットフォーマットの１例を示す。IP Header 211はIPパケットのヘッダである。UDP Header 212はUDP(User Datagram Protocol)パケットのヘッダである。RRP 213はRRPメッセージである。
[HORパケットフォーマットの例]
図19に、HORメッセージを含むパケットフォーマットの１例を示す。IP Header 214はIPパケットのヘッダである。UDP Header 215はUDP(User Datagram Protocol)パケットのヘッダである。HOR 216はHORメッセージである。
[RRQメッセージフォーマットの例]
図20に、RRQメッセージフォーマットの１例を示す。Control 221は制御情報でRRQメッセージであることを特定する識別子を含む。HoA(Home address) 222はHATのインタフェースのホームアドレスである。HATのインタフェースとは本例では1xEv-DO IF 34、 WLAN IF 39、WiMAX IF 44、Wire-line IF 49の何れかである。HA 223はホームエージェントのアドレスである。CoA 224はHATのインタフェースの気付けアドレスである。ID 225はメッセージの正しさをチェックするための情報である。
[RRPメッセージフォーマットの例]
図21に、RRPメッセージフォーマットの１例を示す。Control 231は制御情報でRRPメッセージであることを特定する識別子を含む。HoA(Home address) 232はHATのインタフェースのホームアドレスである。HATのインタフェースとは本例では1xEv-DO IF 34、 WLAN IF 39、WiMAX IF 44、Wire-line IF 49の何れかである。HA 233はホームエージェントのアドレスである。CoA 234はHATのインタフェースの気付けアドレスである。ID 235はメッセージの正しさをチェックするための情報である。
[ADRメッセージフォーマットの例]
図22に、HATがAGWに送信するADRメッセージのフォーマットの１例を示す。Control 240は制御情報で、ADRメッセージであることを特定する識別子と、後に続くアドレス情報をAGWの記憶部82に記憶されたADRテーブルに追加するか削除するかを指定するフラグを含む。NumAddr 241は後に続くアドレス情報の組の数である。本実施例ではn組のアドレス情報が続くとする。AddrInfo_1、AddrInfo_2、AddrInfo_nに構造体239のフォーマットでアドレス情報が指定される。HAT ID 245はHAT固有の識別子である。Sys ID 246はHATのインタフェースの種別を特定する識別子であり、例えばWire-line、1xEv-DO、無線LAN、WiMAXを特定する。HoA(Home address) 247はHATのインタフェースのホームアドレスである。HA248はホームエージェントのアドレスである。CoA 249はHATのインタフェースの気付けアドレスである。
【手続補正４】
【補正対象書類名】明細書
【補正対象項目名】００９４
【補正方法】変更
【補正の内容】
【００９４】
本メッセージは、HA 17にてパケット128に作り変えられてHAT 19に送信される。パケット128を受信したHAT 19の制御部31は、本メッセージを解析し、TsysInfo 256で指定されるアクセスシステムへハンドオーバを開始する。TsysInfo 256のSys ID 258に無線LANであることを示す識別子が設定されているので、HAT 19の制御部31はWLAN RAN 9へのハンドオーバを開始する。本例のメッセージにはハンドオーバ元となるアクセスシステムの情報（SsysInfo 252）と、ハンドオーバ先となるアクセスシステムの情報（TsysInfo 256）とを含むが、ハンドオーバ元となるアクセスシステムの情報は無くても良い。
【手続補正５】
【補正対象書類名】明細書
【補正対象項目名】００９５
【補正方法】変更
【補正の内容】
【００９５】
図25に、HORメッセージのフォーマットの、他の１例を示す。Control 259は制御情報で、HORメッセージであることを特定する識別子と、後に続くメッセージ形式の識別子を含む。SsysInfo 252は、図23と同様にハンドオーバ元となるアクセスシステムの情報である。TsysList 260はハンドオーバ先の候補となる複数のアクセスシステムの情報であり、フォーマットは図26に示される。TsysNum 261はハンドオーバ先の候補となるアクセスシステムの数である。TSysInfo_1、TSysInfo_2、TSysInfo_kはハンドオーバ先の候補となる各アクセスシステムの情報であり、フォーマットはTsysInfo 256と同様である。すなわち前記HAT ID 257とSys ID 258からなり、HAT ID 257はハンドオーバを要求するHATの識別子である。Sys ID 258はハンドオーバ先となるアクセスシステムの識別子である。
【手続補正６】
【補正対象書類名】明細書
【補正対象項目名】００９８
【補正方法】変更
【補正の内容】
【００９８】
図23、図24、図25、図26に示すHORメッセージのSsysInfo 252およびTsysInfo 256等には、HATの識別子（HAT ID）とアクセスシステムの識別子（Sys ID）のみを格納するが、加えてIPアドレス情報（HoA、HA、CoA）を格納するようにしても良い。AGWの制御部83はHORメッセージ作成のとき、記憶部82に保持されるADRテーブルを参照してこれらの情報を得る事が出来る。
[AGW QoS Tableの例]
図27、図28に、AGW 4の記憶部82に記録されるQoS情報の1例を示す。AGW 4は、HAT 19が要求したQoS（R QoS: Requested QoS）とネットワークが保証したQoS（G QoS: Granted QoS）の情報を管理する。このQoS情報交換の手続き例は、非特許文献2に開示されている。例えば、図13の114に示すメッセージ交換を通じてこのQoS情報交換が行われるとする。
【手続補正７】
【補正対象書類名】明細書
【補正対象項目名】０１０６
【補正方法】変更
【補正の内容】
【０１０６】
図29は、AGW4の記憶部82に記録されるADRテーブルの1例である。HAT ID 301はHATの識別子である。Sys ID 302はアクセスシステムの識別子である。HoA 303はホームアドレスである。HA 304はホームエージェントのアドレスである。CoA 305は気付けアドレスである。行310の情報はHAT 19のWLAN IF 39のアドレス情報である。行311の情報はHAT 19のWire-line IF 49のアドレス情報である。行312の情報はHAT 20のWLAN IF 39のアドレス情報である。行313の情報はHAT 20のWiMAX IF 13のアドレス情報である。
【手続補正８】
【補正対象書類名】明細書
【補正対象項目名】０１０７
【補正方法】変更
【補正の内容】
【０１０７】
図30は、AGW 8の記憶部82に記録されるADRテーブルの1例である。HAT ID 301はHATの識別子である。Sys ID 302はアクセスシステムの識別子である。HoA 303はホームアドレスである。HA 304はホームエージェントのアドレスである。CoA 305は気付けアドレスである。行314の情報はHAT 19の1xEv-DO IF 34のアドレス情報である。行315の情報はHAT 19のWire-line IF 49のアドレス情報である。行316の情報はHAT 20の1xEv-DO IF 34のアドレス情報である。行317の情報はHAT 20のWiMAX IF 13のアドレス情報である。
【手続補正９】
【補正対象書類名】明細書
【補正対象項目名】０１０８
【補正方法】変更
【補正の内容】
【０１０８】
図31は、AGW 2の記憶部82に記録されるADRテーブルの1例である。HAT ID 301はHATの識別子である。Sys ID 302はアクセスシステムの識別子である。HoA 303はホームアドレスである。HA 304はホームエージェントのアドレスである。CoA 305は気付けアドレスである。行318の情報はHAT 19のWLAN IF 39のアドレス情報である。行319の情報はHAT 19の1xEv-DO IF 34のアドレス情報である。AGW 2にHAT 20が接続していないため、HAT 20に関するアドレス情報は本テーブルに登録されない。
【手続補正１０】
【補正対象書類名】明細書
【補正対象項目名】０１０９
【補正方法】変更
【補正の内容】
【０１０９】
図32は、AGW 12の記憶部82に記録されるADRテーブルの1例である。HAT ID 301はHATの識別子である。Sys ID 302はアクセスシステムの識別子である。HoA 303はホームアドレスである。HA 304はホームエージェントのアドレスである。CoA 305は気付けアドレスである。行320の情報はHAT 20の1xEv-DO IF 34のアドレス情報である。行321の情報はHAT 20のWLAN IF 39のアドレス情報である。AGW 12にHAT 19が接続していないため、HAT 19に関するアドレス情報は本テーブルに登録されない。
【手続補正１１】
【補正対象書類名】明細書
【補正対象項目名】０１２８
【補正方法】変更
【補正の内容】
【０１２８】
さらにまた他のStep 6の例では、制御部83はR_QoSのSet ID 282からSet ID 295に一致するQoSパラメータの組297を検索する。例えば制御部83は、検索されたQoSパラメータの組297のMax latency 287を参照し、Max latency 287の値が一定値以下のときにIP Flow 144をハンドオーバの対象とする。
【国際調査報告】
2007074511.tif 000043
2007074511.tif 000044
2007074511.tif 000045
2007074511.tif 000046
2007074511.tif 000047
2007074511.tif 000048